(57)【要約】  本発明は、音声リソース節減方法を開示する。本方法は、MMEによって、通知メッセージを発展型NodeB eNodeBに送信するステップであって、通知メッセージは、非音声サービスのために、ロングタームエボリューションLTEネットワークから第2世代2Gまたは第3世代3Gネットワークの回路交換CSドメインにUEをハンドオーバしないようにeNodeBに命令するために用いられる、ステップ、または、MSCが、回路ドメインサービスが非音声サービスであると判断するとき、MSCによって、音声リソースを解放するように基地局に命令するためのベアラ解放メッセージを基地局に送信するステップを含む。本発明において提供される音声リソース節減方法によれば、非音声サービスの実施中、LTEネットワークから2Gもしくは3GネットワークのCSドメインへのUEのハンドオーバがトリガされない場合があるか、またはLTEネットワークから2Gもしくは3GネットワークのCSドメインへのUEのハンドオーバがトリガされる場合があり、UEが2Gまたは3GネットワークのCSドメインに動かされるとき、2Gまたは3GネットワークのCSドメインにおいて予約された音声リソースが解放される。
2017519452.tif 000002
【特許請求の範囲】
【請求項１】
音声リソース節減方法であって、
モビリティ管理エンティティMMEによって、移動通信交換局MSCによって送信され、ユーザ機器UEをページングするために用いられる第1のページング要求メッセージを受信するステップであって、前記第1のページング要求メッセージは第1のインジケーション情報を含み、前記第1のインジケーション情報は、非音声サービスを示すために用いられる、ステップと、
前記MMEによって、前記第1のページング要求メッセージに従って通知メッセージを発展型NodeB eNodeBに送信するステップであって、前記通知メッセージは、前記非音声サービスのために、ロングタームエボリューションLTEネットワークから第2世代2Gまたは第3世代3Gネットワークの回路交換CSドメインに前記UEをハンドオーバしないように前記eNodeBに命令するために用いられる、ステップと、
を含む、方法。
【請求項２】
前記通知メッセージは第2のインジケーション情報を含み、前記第2のインジケーション情報は、前記非音声サービスを示すのに用いられる、請求項1に記載の方法。
【請求項３】
前記方法は、
前記MMEによって第2のページング要求メッセージを前記UEに送信するステップと、
前記MMEによって、前記UEにより送信されたサービス要求を受信するステップであって、前記サービス要求は、回路ドメインサービスのために回路交換フォールバックCSFBを要求するために用いられる、ステップと、
をさらに含む、請求項1または2に記載の方法。
【請求項４】
音声リソース節減方法であって、
ロングタームエボリューションLTEネットワーク内に位置する発展型NodeB eNodeBによって、モビリティ管理エンティティMMEによって送信される通知メッセージを受信するステップであって、前記通知メッセージは、非音声サービスのために、前記LTEネットワークから第2世代2Gまたは第3世代3Gネットワークの回路交換CSドメインにユーザ機器UEをハンドオーバしないように前記eNodeBに命令するために用いられる、ステップと、
前記eNodeBによって、前記通知メッセージに従って、前記LTEネットワークから前記2Gまたは3Gネットワークのパケット交換PSドメインへのハンドオーバのためのハンドオーバ要請メッセージをMMEに送信するか、または前記eNodeBによって、リダイレクト要求を前記UEに送信するステップと、
を含む、音声リソース節減方法。
【請求項５】
前記通知メッセージは第2のインジケーション情報を含み、前記第2のインジケーション情報は前記非音声サービスを示すために用いられる、請求項4に記載の方法。
【請求項６】
音声リソース節減方法であって、
移動通信交換局MSCによって、モビリティ管理エンティティMMEによって送信された第1のハンドオーバ要求メッセージを受信するステップであって、前記第1のハンドオーバ要求メッセージは、回路ドメインサービスのために、ロングタームエボリューションLTEネットワークから第2世代2Gまたは第3世代3Gネットワークの回路交換CSドメインにユーザ機器UEをハンドオーバするように前記MSCに要求するために用いられる、ステップと、
前記MSCによって、第2のハンドオーバ要求メッセージを2Gまたは3Gネットワークの基地局に送信するステップであって、前記第2のハンドオーバ要求メッセージは、音声リソースを前記回路ドメインサービスに割り当てるように前記基地局に要求するために用いられる、ステップと、
前記MSCによって、前記基地局によって送信されたハンドオーバ完了メッセージを受信するステップと、
前記MSCによって、前記回路ドメインサービスが非音声サービスであるか否かを判断するステップと、
前記MSCが、前記回路ドメインサービスが非音声サービスであると判断するとき、前記MSCによって、前記音声リソースを解放するように前記基地局に命令するためのベアラ解放メッセージを前記基地局に送信するステップと、
を含む、方法。
【請求項７】
前記方法は、
前記MSCによって、前記UEにより送信されたサービス接続セットアップ要求メッセージを受信するステップであって、前記サービス接続セットアップ要求メッセージは、前記回路ドメインサービスが非音声サービスであることを示す、ステップをさらに含み、
前記MSCによって、前記回路ドメインサービスが非音声サービスであるか否かを判断するステップは、
前記MSCによって、前記サービス接続セットアップ要求メッセージに従って、前記回路ドメインサービスが非音声サービスであると判断するステップを含む、請求項6に記載の方法。
【請求項８】
前記MSCによって、前記回路ドメインサービスが非音声サービスであるか否かを判断するステップは、
前記MSCによって、前記回路ドメインサービスのタイプに従って、前記回路ドメインサービスが非音声サービスであると判断するステップを含み、
前記方法は、
前記MSCによって、サービス接続セットアップ要求メッセージを前記UEに送信するステップであって、前記サービス接続セットアップ要求メッセージは前記回路ドメインサービスが非音声サービスであることを示す、ステップをさらに含む、請求項6に記載の方法。
【請求項９】
前記方法は、
前記MSCが、前記回路ドメインサービスが非音声サービスであると判断するとき、前記MSCによってセッション解放メッセージを前記UEに送信するステップであって、前記セッション解放メッセージは、前記UEが前記LTEネットワークから前記2Gまたは3Gネットワークの前記CSドメインにハンドオーバされたプロセスにおいて生成された音声セッションを解放するように前記UEに要求するために用いられる、ステップをさらに含む、請求項6から8のいずれか1項に記載の方法。
【請求項１０】
音声リソース節減方法であって、
ロングタームエボリューションLTEネットワーク内に位置するユーザ機器UEによって、要求メッセージをモビリティ管理エンティティMMEに送信するステップであって、前記要求メッセージは、回路ドメインサービスのための回路交換フォールバックCSFBを要求するために用いられる、ステップと、
前記UEによって、発展型NodeB eNodeBによって送信されたハンドオーバコマンドを受信するステップであって、前記ハンドオーバコマンドは、前記CSFBのために、前記LTEネットワークから第2世代2Gまたは第3世代3Gネットワークの回路交換CSドメインにハンドオーバされるように前記UEに命令するために用いられ、前記ハンドオーバコマンドは、前記LTEネットワークから前記2Gまたは3Gネットワークの前記CSドメインへの前記UEのハンドオーバのために前記2Gまたは3Gネットワークによって割り当てられる音声リソースに関する情報を含む、ステップと、
前記UEによって、前記2Gまたは3Gネットワーク内の基地局にハンドオーバ完了メッセージを送信するステップと、
前記UEによって、前記基地局によって送信されたベアラ解放メッセージを受信するステップであって、前記ベアラ解放メッセージは、前記音声リソースを解放するように前記基地局に命令するために用いられる、ステップと、
を含む、方法。
【請求項１１】
前記UEによってハンドオーバ完了メッセージを前記2Gまたは3Gネットワーク内の基地局に送信した後に、かつ前記UEによって前記基地局により送信されたベアラ解放メッセージを受信する前に、前記方法は、
前記UEによって、サービス接続セットアップ要求メッセージを前記MSCに送信するステップであって、前記サービス接続セットアップ要求メッセージは、前記回路ドメインサービスが非音声サービスであることを示す、ステップ、または
前記UEによって、前記MSCにより送信されたサービス接続セットアップ要求メッセージを受信するステップであって、前記サービス接続セットアップ要求メッセージは、前記回路ドメインサービスが非音声サービスであることを示す、ステップをさらに含む、請求項10に記載の方法。
【請求項１２】
前記方法は、
前記UEによって、前記MSCにより送信されたセッション解放メッセージを受信するステップであって、前記セッション解放メッセージは、前記UEが前記LTEネットワークから前記2Gまたは3Gネットワークの前記CSドメインにハンドオーバされたプロセスにおいて生成された音声セッションを解放するように前記UEに要求するために用いられる、ステップをさらに含む、請求項10または11に記載の方法。
【請求項１３】
モビリティ管理エンティティMMEであって、
移動通信交換局MSCによって送信され、ユーザ機器UEをページングするために用いられる第1のページング要求メッセージを受信するように構成される受信ユニットであって、前記第1のページング要求メッセージは第1のインジケーション情報を含み、前記第1のインジケーション情報は、非音声サービスを示すために用いられる、受信ユニットと、
前記受信ユニットによって受信された前記第1のページング要求メッセージに従って、発展型NodeB eNodeBに通知メッセージを送信するように構成される送信ユニットであって、前記通知メッセージは、前記非音声サービスのために、ロングタームエボリューションLTEネットワークから第2世代2Gまたは第3世代3Gネットワークの回路交換CSドメインに前記UEをハンドオーバしないように前記eNodeBに命令するために用いられる、送信ユニットと、
を備える、MME。
【請求項１４】
前記通知メッセージは第2のインジケーション情報を含み、前記第2のインジケーション情報は、前記非音声サービスを示すために用いられる、請求項13に記載のMME。
【請求項１５】
前記送信ユニットは、第2のページング要求メッセージを前記UEに送信するようにさらに構成され、
前記受信ユニットは、前記UEによって送信されたサービス要求を受信するようにさらに構成され、前記サービス要求は、回路ドメインサービスのための回路交換フォールバックCSFBを要求するために用いられる、請求項13または14に記載のMME。
【請求項１６】
発展型NodeB eNodeBであって、
モビリティ管理エンティティMMEによって送信される通知メッセージを受信するように構成される受信ユニットであって、前記通知メッセージは、非音声サービスのために、ロングタームエボリューションLTEネットワークから第2世代2Gまたは第3世代3GネットワークのCSドメインにユーザ機器UEをハンドオーバしないように前記eNodeBに命令するために用いられる、受信ユニットと、
前記受信ユニットによって受信された前記通知メッセージに従って、前記LTEネットワークから前記2Gまたは3Gネットワークのパケット交換PSドメインへのハンドオーバのためのハンドオーバ要請メッセージを前記MMEに送信するか、またはリダイレクト要求を前記UEに送信するように構成される、送信ユニットと、
を備える、eNodeB。
【請求項１７】
前記通知メッセージは第2のインジケーション情報を含み、前記第2のインジケーション情報は、前記非音声サービスを示すために用いられる、請求項16に記載のeNodeB。
【請求項１８】
受信ユニット、送信ユニットおよび処理ユニットを備える移動通信交換局MSCであって、
前記受信ユニットは、モビリティ管理エンティティMMEによって送信される第1のハンドオーバ要求メッセージを受信するように構成され、前記第1のハンドオーバ要求メッセージは、回路ドメインサービスのために、ロングタームエボリューションLTEネットワークから第2世代2Gまたは第3世代3Gネットワークの回路交換CSドメインにユーザ機器UEをハンドオーバするように前記MSCに要求するために用いられ、
前記送信ユニットは、第2のハンドオーバ要求メッセージを前記2Gまたは3Gネットワークの基地局に送信するように構成され、前記第2のハンドオーバ要求メッセージは、前記回路ドメインサービスに音声リソースを割り当てるように前記基地局に要求するために用いられ、
前記受信ユニットは、前記基地局によって送信されたハンドオーバ完了メッセージを受信するようにさらに構成され、
前記処理ユニットは、前記受信ユニットが前記ハンドオーバ完了メッセージを受信した後、前記回路ドメインサービスが非音声サービスであるか否かを判断するように構成され、
前記送信ユニットは、前記処理ユニットが、前記回路ドメインサービスが非音声サービスであると判断するとき、前記音声リソースを解放するように前記基地局に命令するために、ベアラ解放メッセージを前記基地局に送信するように構成される、MSC。
【請求項１９】
前記受信ユニットは、前記UEによって送信されたサービス接続セットアップ要求メッセージを受信するようにさらに構成され、前記サービス接続セットアップ要求メッセージは、前記回路ドメインサービスが非音声サービスであることを示し、
前記処理ユニットは、前記受信ユニットによって受信された前記サービス接続セットアップ要求メッセージに従って、前記回路ドメインサービスが非音声サービスであると判断するように構成される、請求項18に記載のMSC。
【請求項２０】
前記処理ユニットは、前記回路ドメインサービスのタイプに従って、前記回路ドメインサービスが非音声サービスであると判断するように構成され、
前記送信ユニットは、サービス接続セットアップ要求メッセージを前記UEに送信するようにさらに構成され、前記サービス接続セットアップ要求メッセージは、前記回路ドメインサービスが非音声サービスであることを示す、請求項18に記載のMSC。
【請求項２１】
前記送信ユニットは、前記処理ユニットが、前記回路ドメインサービスが非音声サービスであると判断すると、セッション解放メッセージを前記UEに送信するようにさらに構成され、前記セッション解放メッセージは、前記UEが前記LTEネットワークから前記2Gまたは3Gネットワークの前記CSドメインにハンドオーバされたプロセスにおいて生成された音声セッションを解放するように前記UEに要求するために用いられる、請求項18から20のいずれか1項に記載のMSC。
【請求項２２】
ロングタームエボリューションLTEネットワーク内に位置するユーザ機器UEであって、
要求メッセージをモビリティ管理エンティティMMEに送信するように構成される送信ユニットであって、前記要求メッセージは、回路ドメインサービスのための回路交換フォールバックCSFBを要求するために用いられる、送信ユニットと、
発展型NodeB eNodeBによって送信されたハンドオーバコマンドを受信するように構成される受信ユニットであって、前記ハンドオーバコマンドは、前記CSFBのために、前記LTEネットワークから第2世代2Gまたは第3世代3Gネットワークの回路交換CSドメインにハンドオーバされるように前記UEに命令するために用いられ、前記ハンドオーバコマンドは、前記LTEネットワークから前記2Gまたは3Gネットワークの前記回路交換CSドメインへの前記UEの前記ハンドオーバのために前記2Gまたは3Gネットワークによって割り当てられる音声リソースに関する情報を含む、受信ユニットと、
を備え、
前記送信ユニットは、前記2Gまたは3Gネットワーク内の基地局にハンドオーバ完了メッセージを送信するようにさらに構成され、
前記受信ユニットは、前記基地局によって送信されたベアラ解放メッセージを受信するようにさらに構成され、前記ベアラ解放メッセージは、前記音声リソースを解放するように前記基地局に命令するために用いられる、ユーザ機器。
【請求項２３】
前記送信ユニットは、前記ハンドオーバ完了メッセージが前記2Gまたは3Gネットワーク内の前記基地局に送信された後、かつ前記受信ユニットが前記基地局により送信された前記ベアラ解放メッセージを受信する前に、サービス接続セットアップ要求メッセージを前記MSCに送信するようにさらに構成され、ここで、前記サービス接続セットアップ要求メッセージは、前記回路ドメインサービスが非音声サービスであることを示し、または、
前記受信ユニットは、前記送信ユニットが前記ハンドオーバ完了メッセージを前記基地局に送信した後、かつ前記基地局によって送信された前記ベアラ解放メッセージが受信される前に、前記MSCによって送信されたサービス接続セットアップ要求メッセージを受信するようにさらに構成され、ここで、前記サービス接続セットアップ要求メッセージは、前記回路ドメインサービスが非音声サービスであることを示す、請求項22に記載のユーザ機器。
【請求項２４】
前記受信ユニットは、前記MSCによって送信されたセッション解放メッセージを受信するようにさらに構成され、前記セッション解放メッセージは、前記UEが前記LTEネットワークから前記2Gまたは3Gネットワークの前記CSドメインにハンドオーバされたプロセスにおいて生成された音声セッションを解放するようにUEに要求するために用いられる、請求項22または23に記載のユーザ機器。
【請求項２５】
モビリティ管理エンティティMME、移動通信交換局MSCおよび発展型NodeB eNodeBを備える音声リソース節減システムであって、
前記MMEは、前記MSCによって送信され、ユーザ機器UEをページングするために用いられる第1のページング要求メッセージを受信し、前記第1のページング要求メッセージは第1のインジケーション情報を含み、前記第1のインジケーション情報は、非音声サービスを示すために用いられ、
前記MMEは、前記第1のページング要求メッセージに従って通知メッセージを前記eNodeBに送信し、前記通知メッセージは、前記非音声サービスのために、ロングタームエボリューションLTEネットワークから第2世代2Gまたは第3世代3GネットワークのCSドメインに前記UEをハンドオーバしないように前記eNodeBに命令するために用いられ、
前記eNodeBは、前記MMEによって送信される前記通知メッセージを受信し、
前記eNodeBは、前記通知メッセージに従って、前記LTEネットワークから前記2Gまたは3Gネットワークのパケット交換PSドメインへのハンドオーバのためのハンドオーバ要請メッセージを前記MMEに送信するか、または、
前記eNodeBは、リダイレクト要求を前記UEに送信する、システム。
【請求項２６】
モビリティ管理エンティティMME、移動通信交換局MSC、発展型NodeB eNodeB、第2世代2Gまたは第3世代3Gネットワークの基地局を備える音声リソース節減システムであって、
ロングタームエボリューションLTEネットワーク内に位置するユーザ機器UEが、要求メッセージを前記MMEに送信し、前記要求メッセージは、回路ドメインサービスのための回路交換フォールバックCSFBを要求するために用いられ、
前記MSCは、前記MMEによって送信される第1のハンドオーバ要求メッセージを受信し、前記第1のハンドオーバ要求メッセージは、前記回路ドメインサービスのために、前記LTEネットワークから前記2Gまたは3GネットワークのCSドメインに前記UEをハンドオーバするように前記MSCに要求するために用いられ、
前記MSCは、第2のハンドオーバ要求メッセージを前記基地局に送信し、前記第2のハンドオーバ要求メッセージは、前記回路ドメインサービスに音声リソースを割り当てるように前記基地局に要求するために用いられ、
前記UEは、前記eNodeBによって送信されたハンドオーバコマンドを受信し、前記ハンドオーバコマンドは、前記CSFBのために、前記LTEネットワークから2Gまたは3Gネットワークの回路交換CSドメインにハンドオーバされるように前記UEに命令するために用いられ、前記ハンドオーバコマンドは前記音声リソースに関する情報を含み、
前記UEはハンドオーバ完了メッセージを前記基地局に送信し、
前記MSCは、前記基地局によって送信されたハンドオーバ完了メッセージを受信し、
前記MSCは、前記回路ドメインサービスが非音声サービスであるか否かを判断し、
前記MCSが、前記回路ドメインサービスが非音声サービスであると判断するとき、前記MSCは、前記音声リソースを解放するように前記基地局に命令するために、ベアラ解放メッセージを前記基地局に送信する、システム。
【発明の詳細な説明】
【技術分野】
【０００１】
本発明は、通信技術の分野に関し、特に、音声リソース節減方法、デバイスおよびシステムに関する。
【背景技術】
【０００２】
モバイル通信用グローバルシステム(Global System of Mobile Communication、GSM(登録商標))または広帯域符号分割多重アクセス(Wideband Code Division Multiple Access、WCDMA(登録商標))等の第2世代(Second Generation、2G)または第3世代(Third Generation、3G)ネットワークのフルカバレッジが基本的に実装される。
【０００３】
ロングタームエボリューション(Long Term Evolution、LTE)ネットワーク技術の発展により、これらのLTEネットワークは既に、いくつかの都市エリアおよびトラフィックホットスポットエリアをカバーしている。このようにして、現在の通信ネットワークにおいて、LTEネットワークおよび2Gまたは3Gネットワークが共存している。
【０００４】
通話中、ユーザ機器(User Equipment、UE)は、LTEネットワークから2Gまたは3Gネットワークに入る場合がある。LTEネットワークおよび2Gまたは3Gネットワークは、異なるベアラメカニズムを有するため、ユーザ機器は、パケット交換(Packet Switching、PS)ドメインから回路交換(Circuit Switching、CS)ドメインにハンドオーバされる必要がある。したがって、音声呼が中断され、ユーザの音声呼の継続性に影響を及ぼす場合がある。
【０００５】
回路交換フォールバック(Circuit Switched Fallback、CSFB)は、LTEのカバレッジ内のユーザ機器(User Equipment、UE)が音声サービスを処理するとき、UEがまず、CSドメインを有するネットワークにフォールバックして、このCSドメインを有するネットワークにおいて音声サービスを処理することを指す。このようにして、既存のCSドメインデバイスを再利用してLTEネットワーク内のユーザに従来の音声サービスを提供するという目的が達成される。従来技術では、UEは、LTEネットワークから2Gもしくは3GネットワークのPSドメインにハンドオーバされるか、または、LTEネットワークから2Gもしくは3Gネットワークにリダイレクトされ、次に、2Gまたは3GネットワークにおいてCSドメインへの接続を開始する必要がある。
【０００６】
従来技術では、CSFBプロセスは、音声サービスのためのCSFBと、非音声サービスのためのCSFBとを含む。しかしながら、従来技術では、非音声サービスのためのCSFBサービスの実施中に音声リソースの浪費が生じる。
【発明の概要】
【課題を解決するための手段】
【０００７】
従来技術における上記の問題のために、本発明の実施形態は、音声リソース節減方法を提供する。非音声サービスのためのCSFBの実施中、LTEネットワークから2Gもしくは3GネットワークのCSドメインへのUEのハンドオーバがトリガされないか、またはLTEネットワークから2Gもしくは3GネットワークのCSドメインへのUEのハンドオーバがトリガされる。UEが2Gまたは3GネットワークのCSドメインに動かされるとき、2Gまたは3GネットワークのCSドメインにおいて予約された音声リソースが解放される。本発明の実施形態は、対応するデバイスおよびシステムをさらに提供する。
【０００８】
本発明の第1の態様は、音声リソース節減方法を提供し、本方法は、
モビリティ管理エンティティMMEによって、移動通信交換局MSCによって送信され、ユーザ機器UEをページングするために用いられる第1のページング要求メッセージを受信するステップであって、第1のページング要求メッセージは第1のインジケーション情報を含み、第1のインジケーション情報は、非音声サービスを示すために用いられる、ステップと、
MMEによって、第1のページング要求メッセージに従って通知メッセージを発展型NodeB eNodeBに送信するステップであって、通知メッセージは、非音声サービスのために、ロングタームエボリューションLTEネットワークから第2世代2Gまたは第3世代3Gネットワークの回路交換CSドメインにUEをハンドオーバしないようにeNodeBに命令するために用いられる、ステップと、
を含む。
【０００９】
第1の態様を参照して、第1の可能な実施方式において、通知メッセージは第2のインジケーション情報を含み、第2のインジケーション情報は、非音声サービスを示すのに用いられる。
【００１０】
第1の態様または第1の態様の第1の可能な実施方式を参照して、第2の可能な実施方式において、本方法は、
MMEによって第2のページング要求メッセージをUEに送信するステップと、
MMEによって、UEにより送信されたサービス要求を受信するステップであって、サービス要求は、回路ドメインサービスのために回路交換フォールバックCSFBを要求するために用いられる、ステップと、
をさらに含む。
【００１１】
本発明の第2の態様は、音声リソース節減方法を提供する。本方法は、
ロングタームエボリューションLTEネットワーク内に位置する発展型NodeB eNodeBによって、モビリティ管理エンティティMMEによって送信される通知メッセージを受信するステップであって、通知メッセージは、非音声サービスのために、LTEネットワークから第2世代2Gまたは第3世代3Gネットワークの回路交換CSドメインにユーザ機器UEをハンドオーバしないようにeNodeBに命令するために用いられる、ステップと、
eNodeBによって、通知メッセージに従って、LTEネットワークから2Gまたは3Gネットワークのパケット交換PSドメインへのハンドオーバのためのハンドオーバ要請メッセージをMMEに送信するか、またはeNodeBによって、リダイレクト要求をUEに送信するステップと、
を含む。
【００１２】
第2の態様を参照して、第1の可能な実施方式において、通知メッセージは第2のインジケーション情報を含み、第2のインジケーション情報は非音声サービスを示すために用いられる。
【００１３】
本発明の第3の態様は、音声リソース節減方法を提供する。本方法は、
移動通信交換局MSCによって、モビリティ管理エンティティMMEによって送信された第1のハンドオーバ要求メッセージを受信するステップであって、第1のハンドオーバ要求メッセージは、回路ドメインサービスのために、ロングタームエボリューションLTEネットワークから第2世代2Gまたは第3世代3Gネットワークの回路交換CSドメインにユーザ機器UEをハンドオーバするようにMSCに要求するために用いられる、ステップと、
MSCによって、第2のハンドオーバ要求メッセージを2Gまたは3Gネットワークの基地局に送信するステップであって、第2のハンドオーバ要求メッセージは、音声リソースを回路ドメインサービスに割り当てるように基地局に要求するために用いられる、ステップと、
MSCによって、基地局によって送信されたハンドオーバ完了メッセージを受信するステップと、
MSCによって、回路ドメインサービスが非音声サービスであるか否かを判断するステップと、
MSCが、回路ドメインサービスが非音声サービスであると判断するとき、MSCによって、音声リソースを解放するように基地局に命令するためのベアラ解放メッセージを基地局に送信するステップと、
を含む。
【００１４】
第3の態様を参照して、第1の可能な実施方式において、本方法は、
MSCによって、UEにより送信されたサービス接続セットアップ要求メッセージを受信するステップであって、サービス接続セットアップ要求メッセージは、回路ドメインサービスが非音声サービスであることを示す、ステップをさらに含み、
MSCによって、回路ドメインサービスが非音声サービスであるか否かを判断するステップは、
MSCによって、サービス接続セットアップ要求メッセージに従って、回路ドメインサービスが非音声サービスであると判断するステップを含む。
【００１５】
第3の態様を参照して、第2の可能な実施方式において、MSCによって、回路ドメインサービスが非音声サービスであるか否かを判断するステップは、
MSCによって、回路ドメインサービスのタイプに従って、回路ドメインサービスが非音声サービスであると判断するステップを含み、
本方法は、
MSCによって、サービス接続セットアップ要求メッセージをUEに送信するステップであって、サービス接続セットアップ要求メッセージは回路ドメインサービスが非音声サービスであることを示す、ステップをさらに含む。
【００１６】
第3の態様または第3の態様の第1の可能な実施方式もしくは第2の可能な実施方式を参照して、第3の可能な実施方式において、本方法は、
MSCが、回路ドメインサービスが非音声サービスであると判断するとき、MSCによってセッション解放メッセージをUEに送信するステップであって、セッション解放メッセージは、UEがLTEネットワークから2Gまたは3GネットワークのCSドメインにハンドオーバされたプロセスにおいて生成された音声セッションを解放するようにUEに要求するために用いられる、ステップをさらに含む。
【００１７】
本発明の第4の態様は、音声リソース節減方法を提供する。本方法は、
ロングタームエボリューションLTEネットワーク内に位置するユーザ機器UEによって、要求メッセージをモビリティ管理エンティティMMEに送信するステップであって、要求メッセージは、回路ドメインサービスのための回路交換フォールバックCSFBを要求するために用いられる、ステップと、
UEによって、発展型NodeB eNodeBによって送信されたハンドオーバコマンドを受信するステップであって、ハンドオーバコマンドは、CSFBのために、LTEネットワークから第2世代2Gまたは第3世代3Gネットワークの回路交換CSドメインにハンドオーバされるようにUEに命令するために用いられ、ハンドオーバコマンドは、LTEネットワークから2Gまたは3GネットワークのCSドメインへのUEのハンドオーバのために2Gまたは3Gネットワークによって割り当てられる音声リソースに関する情報を含む、ステップと、
UEによって、2Gまたは3Gネットワーク内の基地局にハンドオーバ完了メッセージを送信するステップと、
UEによって、基地局によって送信されたベアラ解放メッセージを受信するステップであって、ベアラ解放メッセージは、音声リソースを解放するように基地局に命令するために用いられる、ステップと、
を含む。
【００１８】
第4の態様を参照して、第1の可能な実施方式において、UEによってハンドオーバ完了メッセージを2Gまたは3Gネットワーク内の基地局に送信した後、かつUEによって基地局により送信されたベアラ解放メッセージを受信する前に、本方法は、
UEによって、サービス接続セットアップ要求メッセージをMSCに送信するステップであって、サービス接続セットアップ要求メッセージは、回路ドメインサービスが非音声サービスであることを示す、ステップ、または
UEによって、MSCにより送信されたサービス接続セットアップ要求メッセージを受信するステップであって、サービス接続セットアップ要求メッセージは、回路ドメインサービスが非音声サービスであることを示す、ステップをさらに含む。
【００１９】
第4の態様または第4の態様の第1の可能な実施方式を参照して、第2の可能な実施方式において、本方法は、
UEによって、MSCにより送信されたセッション解放メッセージを受信するステップであって、セッション解放メッセージは、UEがLTEネットワークから2Gまたは3GネットワークのCSドメインにハンドオーバされたプロセスにおいて生成された音声セッションを解放するようにUEに要求するために用いられる、ステップをさらに含む。
【００２０】
本発明の第5の態様は、モビリティ管理エンティティMMEを提供する。MMEは、
移動通信交換局MSCによって送信され、ユーザ機器UEをページングするために用いられる第1のページング要求メッセージを受信するように構成される受信ユニットであって、第1のページング要求メッセージは第1のインジケーション情報を含み、第1のインジケーション情報は、非音声サービスを示すために用いられる、受信ユニットと、
受信ユニットによって受信された第1のページング要求メッセージに従って、発展型NodeB eNodeBに通知メッセージを送信するように構成される送信ユニットであって、通知メッセージは、非音声サービスのために、ロングタームエボリューションLTEネットワークから第2世代2Gまたは第3世代3Gネットワークの回路交換CSドメインにUEをハンドオーバしないようにeNodeBに命令するために用いられる、送信ユニットと、
を備える。第5の態様を参照して、第1の可能な実施方式において、通知メッセージは第2のインジケーション情報を含み、第2のインジケーション情報は、非音声サービスを示すために用いられる。
【００２１】
第5の態様または第5の態様の第1の可能な実施方式を参照して、第2の可能な実施方式において、
送信ユニットは、第2のページング要求メッセージをUEに送信するようにさらに構成され、
受信ユニットは、UEによって送信されたサービス要求を受信するようにさらに構成され、サービス要求は、回路ドメインサービスのための回路交換フォールバックCSFBを要求するために用いられる。
【００２２】
本発明の第6の態様は、発展型NodeB eNodeBを提供する。eNodeBは、
モビリティ管理エンティティMMEによって送信される通知メッセージを受信するように構成される受信ユニットであって、通知メッセージは、非音声サービスのために、ロングタームエボリューションLTEネットワークから第2世代2Gまたは第3世代3GネットワークのCSドメインにユーザ機器UEをハンドオーバしないようにeNodeBに命令するために用いられる、受信ユニットと、
受信ユニットによって受信された通知メッセージに従って、LTEネットワークから2Gまたは3Gネットワークのパケット交換PSドメインへのハンドオーバのためのハンドオーバ要請メッセージをMMEに送信するか、またはリダイレクト要求をUEに送信するように構成される、送信ユニットと、
を備える。
【００２３】
第6の態様を参照して、第1の可能な実施方式において、通知メッセージは第2のインジケーション情報を含み、第2のインジケーション情報は、非音声サービスを示すために用いられる。
【００２４】
本発明の第7の態様は、受信ユニット、送信ユニットおよび処理ユニットを備える移動通信交換局MSCを提供する。ここで、
受信ユニットは、モビリティ管理エンティティMMEによって送信される第1のハンドオーバ要求メッセージを受信するように構成され、第1のハンドオーバ要求メッセージは、回路ドメインサービスのために、ロングタームエボリューションLTEネットワークから第2世代2Gまたは第3世代3Gネットワークの回路交換CSドメインにユーザ機器UEをハンドオーバするようにMSCに要求するために用いられ、
送信ユニットは、第2のハンドオーバ要求メッセージを2Gまたは3Gネットワークの基地局に送信するように構成され、第2のハンドオーバ要求メッセージは、回路ドメインサービスに音声リソースを割り当てるように基地局に要求するために用いられ、
受信ユニットは、基地局によって送信されたハンドオーバ完了メッセージを受信するようにさらに構成され、
処理ユニットは、受信ユニットがハンドオーバ完了メッセージを受信した後、回路ドメインサービスが非音声サービスであるか否かを判断するように構成され、
送信ユニットは、処理ユニットが、回路ドメインサービスが非音声サービスであると判断するとき、音声リソースを解放するように基地局に命令するために、ベアラ解放メッセージを基地局に送信するように構成される。
【００２５】
第7の態様を参照すると、第1の可能な実施方式において、
受信ユニットは、UEによって送信されたサービス接続セットアップ要求メッセージを受信するようにさらに構成され、サービス接続セットアップ要求メッセージは、回路ドメインサービスが非音声サービスであることを示し、
処理ユニットは、受信ユニットによって受信されたサービス接続セットアップ要求メッセージに従って、回路ドメインサービスが非音声サービスであると判断するように構成される。
【００２６】
第7の態様を参照すると、第2の可能な実施方式において、
処理ユニットは、回路ドメインサービスのタイプに従って、回路ドメインサービスが非音声サービスであると判断するように構成され、
送信ユニットは、サービス接続セットアップ要求メッセージをUEに送信するようにさらに構成され、サービス接続セットアップ要求メッセージは、回路ドメインサービスが非音声サービスであることを示す。
【００２７】
第7の態様または第7の態様の第1のもしくは第2の可能な実施方式を参照して、第3の可能な実施方式において、
送信ユニットは、処理ユニットが、回路ドメインサービスが非音声サービスであると判断すると、セッション解放メッセージをUEに送信するようにさらに構成され、セッション解放メッセージは、UEがLTEネットワークから2Gまたは3GネットワークのCSドメインにハンドオーバされたプロセスにおいて生成された音声セッションを解放するようにUEに要求するために用いられる。
【００２８】
本発明の第8の態様は、ロングタームエボリューションLTEネットワーク内に位置するユーザ機器UEを提供する。UEは、
要求メッセージをモビリティ管理エンティティMMEに送信するように構成される送信ユニットであって、要求メッセージは、回路ドメインサービスのための回路交換フォールバックCSFBを要求するために用いられる、送信ユニットと、
発展型NodeB eNodeBによって送信されたハンドオーバコマンドを受信するように構成される受信ユニットであって、ハンドオーバコマンドは、CSFBのために、LTEネットワークから第2世代2Gまたは第3世代3Gネットワークの回路交換CSドメインにハンドオーバされるようにUEに命令するために用いられ、ハンドオーバコマンドは、LTEネットワークから2Gまたは3Gネットワークの回路交換CSドメインへのUEのハンドオーバのために2Gまたは3Gネットワークによって割り当てられる音声リソースに関する情報を含む、受信ユニットと、
を備え、
送信ユニットは、基地局にハンドオーバ完了メッセージを送信するようにさらに構成され、
受信ユニットは、基地局によって送信されたベアラ解放メッセージを受信するようにさらに構成され、ベアラ解放メッセージは、音声リソースを解放するように基地局に命令するために用いられる。
【００２９】
第8の態様を参照して、第1の可能な実施方式において、
送信ユニットは、ハンドオーバ完了メッセージが2Gまたは3Gネットワーク内の基地局に送信された後、かつ受信ユニットが基地局により送信されたベアラ解放メッセージを受信する前に、サービス接続セットアップ要求メッセージをMSCに送信するようにさらに構成され、ここで、サービス接続セットアップ要求メッセージは、回路ドメインサービスが非音声サービスであることを示し、または、
受信ユニットは、送信ユニットがハンドオーバ完了メッセージを基地局に送信した後、かつ基地局によって送信されたベアラ解放メッセージが受信される前に、MSCによって送信されたサービス接続セットアップ要求メッセージを受信するようにさらに構成され、ここで、サービス接続セットアップ要求メッセージは、回路ドメインサービスが非音声サービスであることを示す。
【００３０】
第8の態様または第8の態様の第1の可能な実施方式を参照して、第2の可能な実施方式において、
受信ユニットは、MSCによって送信されたセッション解放メッセージを受信するようにさらに構成され、セッション解放メッセージは、UEがLTEネットワークから2Gまたは3GネットワークのCSドメインにハンドオーバされたプロセスにおいて生成された音声セッションを解放するようにUEに要求するために用いられる。
【００３１】
本発明の第9の態様は、モビリティ管理エンティティMME、移動通信交換局MSCおよび発展型NodeB eNodeBを備える音声リソース節減システムを提供する。ここで、
MMEは、MSCによって送信され、ユーザ機器UEをページングするために用いられる第1のページング要求メッセージを受信し、第1のページング要求メッセージは第1のインジケーション情報を含み、第1のインジケーション情報は、非音声サービスを示すために用いられ、
MMEは、第1のページング要求メッセージに従って通知メッセージをeNodeBに送信し、通知メッセージは、非音声サービスのために、ロングタームエボリューションLTEネットワークから第2世代2Gまたは第3世代3GネットワークのCSドメインにUEをハンドオーバしないようにeNodeBに命令するために用いられ、
eNodeBは、MMEによって送信される通知メッセージを受信し、
eNodeBは、通知メッセージに従って、LTEネットワークから2Gまたは3Gネットワークのパケット交換PSドメインへのハンドオーバのためのハンドオーバ要請メッセージをMMEに送信するか、または、
eNodeBは、リダイレクト要求をUEに送信する。
【００３２】
本発明の第10の態様は、モビリティ管理エンティティMME、移動通信交換局MSC、発展型NodeB eNodeB、第2世代2Gまたは第3世代3Gネットワークの基地局を備える音声リソース節減システムを提供する。ここで、
ロングタームエボリューションLTEネットワーク内に位置するユーザ機器UEが、要求メッセージをMMEに送信し、要求メッセージは、回路ドメインサービスのための回路交換フォールバックCSFBを要求するために用いられ、
MSCは、MMEによって送信される第1のハンドオーバ要求メッセージを受信し、第1のハンドオーバ要求メッセージは、回路ドメインサービスのために、LTEネットワークから2Gまたは3GネットワークのCSドメインにUEをハンドオーバするようにMSCに要求するために用いられ、
MSCは、第2のハンドオーバ要求メッセージを基地局に送信し、第2のハンドオーバ要求メッセージは、回路ドメインサービスに音声リソースを割り当てるように基地局に要求するために用いられ、
UEは、eNodeBによって送信されたハンドオーバコマンドを受信し、ハンドオーバコマンドは、CSFBのために、LTEネットワークから2Gまたは3Gネットワークの回路交換CSドメインにハンドオーバされるようにUEに命令するために用いられ、ハンドオーバコマンドは音声リソースに関する情報を含み、
UEはハンドオーバ完了メッセージを基地局に送信し、
MSCは、基地局によって送信されたハンドオーバ完了メッセージを受信し、
MSCは、回路ドメインサービスが非音声サービスであるか否かを判断し、
MCSが、回路ドメインサービスが非音声サービスであると判断するとき、MSCは、音声リソースを解放するように基地局に命令するために、ベアラ解放メッセージを基地局に送信する。
【００３３】
本発明において提供される実施形態によって、非音声サービスのためのCSFBの実施中、LTEネットワークから2Gもしくは3GネットワークのCSドメインへのUEのハンドオーバがトリガされないか、またはLTEネットワークから2Gもしくは3GネットワークのCSドメインへのUEのハンドオーバがトリガされ、UEが2Gまたは3GネットワークのCSドメインに動かされるとき、2Gまたは3GネットワークのCSドメインにおいて予約された音声リソースが解放され、それによって音声リソースが節減される。
【００３４】
本発明の実施形態における技術的解決策をより明確に説明するために、以下は、実施形態を説明するために必要な添付の図面を簡単に説明する。明らかに、以下の説明における添付の図面は本発明のいくつかの実施形態を示すにすぎず、当業者は、依然として創造的な取り組みを行うことなく添付の図面から他の図面を導出することができる。
【図面の簡単な説明】
【００３５】
【図１】本発明の実施形態による、音声リソース節減方法の実施形態の概略図である。
【図２ａ】本発明の実施形態による、音声リソース節減方法の別の実施形態の概略図である。
【図２ｂ】本発明の実施形態による、音声リソース節減方法の別の実施形態の概略図である。
【図３】本発明の実施形態による、音声リソース節減方法の別の実施形態の概略図である。
【図４】本発明の実施形態による、音声リソース節減方法の別の実施形態の概略図である。
【図５】本発明の実施形態による、音声リソース節減方法の別の実施形態の概略図である。
【図６】本発明の実施形態による、音声リソース節減方法の別の実施形態の概略図である。
【図７】本発明の実施形態による、モビリティ管理エンティティの実施形態の概略図である。
【図８】本発明の実施形態による、発展型NodeBの実施形態の概略図である。
【図９】本発明の実施形態による、移動通信交換局の実施形態の概略図である。
【図１０】本発明の実施形態による、ユーザ機器の実施形態の概略図である。
【図１１】本発明の実施形態による、音声リソース節減システムの実施形態の概略図である。
【発明を実施するための形態】
【００３６】
本発明の実施形態は、音声リソース節減方法を提供する。非音声サービスのためのCSFBの実施中、LTEネットワークから2Gもしくは3GネットワークのCSドメインへのUEのハンドオーバがトリガされないか、またはLTEネットワークから2Gもしくは3GネットワークのCSドメインへのUEのハンドオーバがトリガされ、UEが2Gまたは3GネットワークのCSドメインに動かされるとき、2Gまたは3GネットワークのCSドメインにおいて予約された音声リソースが解放される。本発明の実施形態は、対応するデバイスおよびシステムをさらに提供する。詳細な説明が以下で別個に提供される。
【００３７】
本発明の実施形態に関与するいくつかの通信用語(中国語および英語の双方)およびその略記は、モビリティ管理エンティティ(Mobile Management Entity、MME)、発展型NodeB(Envolved NodeB、eNodeB)、ユーザ機器(User Equipment、UE)、移動通信交換局(Mobile Services Switching Centre、MSC)、第2世代または第3世代モバイル通信技術(2nd Generation/3rd Generation、2Gまたは3G)、基地局(Base Station、BS)(ここで、本発明の実施形態における基地局は、基地局コントローラ(Base Station Controller、BSC)および無線ネットワークコントローラ(Radio Network Controller、RNC)を含む)、ロングタームエボリューション(Long Term Evolution、LTE)、サービングGPRSサポートノード(Serving GPRS Support Node、SGSN)、回路交換フォールバック(Circuit Switched Fallback、CSFB)、陸上無線アクセスネットワーク(Terrestrial Radio Access Network、UTRAN)、モバイル通信のためのグローバルシステム(Global System of Mobile communication、GSM(登録商標))、GSM(登録商標)エボリューションのための強化型データレート(Enhanced Data Rate for GSM(登録商標) Evolution、EDGE)、およびモバイル通信のためのグローバルシステム/GSM(登録商標)エボリューションのための強化型データレートの無線アクセスネットワーク(GSM(登録商標)/EDGE Radio Access Network、GERAN)を含む。
【００３８】
本発明の実施形態において、第1、第2、第3、第4、第5等は、単に異なるインジケーション情報、メッセージまたは他のオブジェクトを区別するために用いられ、連続関係を表すものではない。
【００３９】
以下は、本発明の実施形態における添付の図面を参照して、本発明の実施形態における技術的解決策を明確にかつ完全に説明する。明らかに、説明される実施形態は本発明の実施形態のうちのいくつかにすぎず、全てではない。創作的努力なしで本発明の実施形態に基づいて当業者によって得られる全ての他の実施形態は、本発明の保護範囲内にあるものとする。
【００４０】
図1を参照すると、図1は、本発明の実施形態による、非音声サービスのための回路交換フォールバックネットワークハンドオーバにおける音声リソース節減プロセス、およびハンドオーバ後の発呼プロセスを示す。
【００４１】
S100:UEがMMEに、拡張サービス要求(extended service request)を送信する。ここで、拡張サービス要求は、回路交換フォールバックCSFBを要求するために用いられる。
【００４２】
S100a:MMEは、LTEネットワークおよび2Gまたは3Gネットワークが、CSFBのために、LTEネットワークから2Gまたは3GネットワークのCSドメインへのUEのハンドオーバをサポートしているか否かを判断することができる。
【００４３】
MMEは判断を行わず、デフォルトで、通信ネットワークが、CSFBのために、LTEネットワークから2Gまたは3GネットワークのCSドメインへのUEのハンドオーバをサポートしているとみなすか、または、いくつかのネットワークについてのみ判断を行う場合がある。
【００４４】
通信ネットワークとは、LTEネットワークおよび2Gまたは3Gネットワークを指す。
【００４５】
S105:MMEは、拡張サービス要求に従って発展型NodeB eNodeBに通信メッセージを送信する。ここで、通知メッセージは、CSFBのために、LTEネットワークから2Gまたは3GネットワークのCSドメインにUEを動かすようにeNodeBに命令するために用いられ、すなわち、通知メッセージは、UEがCSFBのために2Gまたは3Gネットワークに動かされるべきであることをeNodeBに示すために用いられる。
【００４６】
MMEが、LTEネットワークおよび2Gまたは3Gネットワークが、CSFBのために、LTEネットワークから2Gまたは3GネットワークのCSドメインへのUEのハンドオーバをサポートしていると判断する場合、MMEは、LTEネットワークおよび2Gまたは3Gネットワークが、CSFBのために、LTEネットワークから2Gまたは3GネットワークのCSドメインへのUEのハンドオーバをサポートしているか否かをeNodeBに知らせるための通知メッセージを送信することができ、それによって、eNodeBは、CSFBのために、LTEネットワークから2Gまたは3GネットワークのCSドメインにUEをハンドオーバするためのハンドオーバ要求を開始する。
【００４７】
例えば、通知メッセージはインジケーション情報を含み、このインジケーション情報を用いることによって、通信ネットワークおよびUEが、CSFBのために、LTEネットワークから2Gまたは3GネットワークのCSドメインへのUEのハンドオーバをサポートしていることを示すことができる。
【００４８】
例えば、インジケーション情報は、LTEネットワークおよび2Gまたは3Gネットワークが、CSFBのために、LTEネットワークから2Gまたは3GネットワークのCSドメインへのUEのハンドオーバをサポートしていることを示すための、単一無線音声呼連続性(single radio voice call continuity、SRVCC)ハンドオーバのインジケーション情報とすることができる。
【００４９】
本発明のこの実施形態におけるインジケーション情報は、最適化されたCSFBインジケータ(optimized CSFB indicator)、単一無線音声呼連続性(single radio voice call continuity、SRVCC)CSFBベースのインジケータ(SRVCC based CSFB Indicator)、強化型CSFBインジケータ(enhanced CSFB indicator)、強化型CSFB可能性インジケータ(enhanced CSFB possible)またはSRVCC動作可能性インジケータ(SRVCC Operation possible)として参照され得る。
【００５０】
S110:eNodeBはハンドオーバ要請メッセージ(handover required message)をMMEに送信する。
【００５１】
ハンドオーバ要請メッセージは、LTEネットワークから2Gもしくは3Gネットワークのパケット交換PSドメインへのハンドオーバのためのハンドオーバ要請メッセージ(LTEから2Gまたは3GへのPS HO要請メッセージ等)、またはLTEネットワークから2Gもしくは3GネットワークのCSドメインへのハンドオーバのためのハンドオーバ要請メッセージ(LTEから2Gまたは3GへのSRVCC HO要請メッセージ等)、またはLTEネットワークから2Gもしくは3GネットワークのPSドメインおよびCSドメインへのハンドオーバのためのハンドオーバ要請メッセージ(LTEから2Gまたは3GへのSRVCCおよびPS HO要請メッセージ等)とすることができる。
【００５２】
ハンドオーバ要請メッセージは、UEによってサポートされる周波数帯域、UEのアクセス能力等に関する情報を示すための、UEの機能情報を含むことができる。例えば、UEの機能情報は、クラスマーク2(classmark2)またはクラスマーク3(classmark3)のうちの少なくとも一方とすることができる。従来技術では、UEがLTEネットワークから2Gまたは3GネットワークのCSへのハンドオーバをサポートしていないとき、eNodeBはUEの機能情報をMMEに送信しない。したがって、MMEは、UEの機能情報を有しない。一方、MMEがUEの機能情報を得た後、MMEは、UEの機能情報をMSCに送信することができ、それによって、MSCは、2Gまたは3GのCSへのハンドオーバを実行することができる。本発明のこの実施形態では、UEの機能情報は、ハンドオーバ要求メッセージを用いることによって、MMEに転送することができる。
【００５３】
ハンドオーバ要請メッセージは、第1のインジケーション情報を含み、第1のインジケーション情報は、CSFBのために、LTEネットワークから2Gまたは3GネットワークのCSドメインにUEをハンドオーバすることをMMEに要求するために用いられる。
【００５４】
代替的に、第1のインジケーション情報は、CSFBのために、LTEネットワークから2Gまたは3GネットワークのCSドメインにUEをハンドオーバすることをMMEに要求し、UEがLTEネットワークから2Gまたは3GネットワークのCSドメインへのハンドオーバをサポートしていることを示すために用いられる。
【００５５】
代替的に、ハンドオーバ要請メッセージは、ソースからターゲットへのトランスペアレントコンテナを含む。ソースからターゲットへのトランスペアレントコンテナは、第2のインジケーション情報を含み、第2のインジケーション情報は、CSFBのために、LTEネットワークから2Gまたは3GネットワークのCSドメインにUEをハンドオーバすることを2Gまたは3Gネットワークの基地局に要求するために用いられる。
【００５６】
第1のインジケーション情報は、CSFBインジケータ、最適化されたCSFBインジケータ、SRVCCベースのCSFBインジケータ、強化型CSFBインジケータまたは強化型CSFB可能性インジケータとして参照され得る。
【００５７】
第2のインジケーション情報が、UEが、LTEネットワークから2Gまたは3GネットワークのCSドメインへのハンドオーバをサポートしていることを示さないとき、MMEは、デフォルトで、UEがハンドオーバをサポートしているとみなすことができる。第1のインジケーション情報が、UEが、LTEネットワークから2Gまたは3GネットワークのCSドメインへのハンドオーバをサポートしていることを示さないとき、2Gまたは3Gネットワークの基地局は、デフォルトで、UEがハンドオーバをサポートしているとみなすことができる。第2のインジケーション情報および第1のインジケーション情報は、CSFBインジケータ、最適化されたCSFBインジケータ、SRVCCベースのCSFBインジケータ、強化型CSFBインジケータまたは強化型CSFB可能性インジケータとして参照され得る。
【００５８】
例えば、第2のインジケーション情報は、CSFBインジケータフィールド、またはCSFBインジケータフィールドおよびUE機能フィールドを含むことができる。CSFBインジケータフィールドは、CSFBのために、LTEネットワークから2Gまたは3Gネットワークの回路交換CSドメインにUEをハンドオーバするようにMMEに命令する。UE機能フィールドは、UEがLTEネットワークから2Gまたは3GネットワークのPSドメインへのハンドオーバをサポートしていることを表す。
【００５９】
第1のインジケーション情報は、CSFBインジケータフィールド、またはCSFBインジケータフィールドおよびUE機能フィールドを含むことができる。CSFBインジケータフィールドは、CSFBのために、LTEネットワークから2Gまたは3Gネットワークの回路交換CSドメインにUEをハンドオーバするように2Gまたは3Gネットワークの基地局に命令する。UE機能フィールドは、UEがLTEネットワークから2Gまたは3GネットワークのPSドメインへのハンドオーバをサポートしていることを表す。
【００６０】
例えば:
a)ターゲットネットワークがUTRANネットワークであるとき、eNodeBは、第2のインジケーション情報を、ソースRNCからターゲットRNCへのトランスペアレントコンテナ(source RNC to target RNC transparent container)に加える。既存のソースRNCからターゲットRNCへのトランスペアレントコンテナ内のCSFB情報(CSFB information)フィールドは、CSFBインジケータフィールドとして用いることができ、フィールドを、UE機能フィールドとしてソースRNCからターゲットRNCへのトランスペアレントコンテナに加えることができる。
b)ターゲットネットワークがGERANネットワークであるとき、eNodeBは、第2のインジケーション情報を、古いBSSから新たなBSSへの情報(old BSS to new BSS information)に加える。CSFBインジケータフィールドまたはUE機能フィールドは、古いBSSから新たなBSSへの情報に加えることができる。
【００６１】
S115:MMEは、第1のハンドオーバ要求メッセージをMSCに送信する。ここで、回路ドメインサービスのために、ロングタームエボリューションLTEネットワークから第2世代2Gまたは第3世代3Gネットワークの回路交換CSドメインにユーザ機器UEをハンドオーバすることをMSCに要求するために、第1のハンドオーバ要求メッセージが用いられる。
【００６２】
第1のハンドオーバ要求メッセージはMMEからMSCに送信されるので、第1のハンドオーバ要求メッセージによって要求されるハンドオーバは、LTEネットワークから2Gまたは3GネットワークのCSドメインへのハンドオーバである。すなわち、第1のハンドオーバ要求は、PSからCSへのハンドオーバの要求である。
【００６３】
第1のハンドオーバ要求メッセージは、第3のインジケーション情報を搬送することができ、第3のインジケーション情報は、CSFBのために、LTEネットワークから2Gまたは3GネットワークのCSドメインにUEをハンドオーバすることをMSCに要求するために用いられる。すなわち、第3のインジケーション情報は、第1のハンドオーバ要求がCSFBのために送信されることを表すために用いられる。第3のインジケーション情報は、UEが、LTEネットワークから2Gまたは3GネットワークのCSドメインへのハンドオーバをサポートすることをさらに示すことができる。第1のハンドオーバ要求メッセージはCSFBを示さない場合があり、この場合、MSCは、デフォルトで、第1のハンドオーバ要求がCSFBのために送信されるとみなす。
【００６４】
MMEがeNodeBからUEの機能情報を受信した後、第1のハンドオーバ要求メッセージは、UEの機能情報を搬送することができる。例えば、機能情報は、クラスマークclassmark2またはクラスマークclassmark3のうちの少なくとも一方である。
【００６５】
UEは、LTEネットワークから2Gまたは3GネットワークのCSドメインへのハンドオーバをサポートしていないので、UEは、UEによってサポートされる音声コーディング/デコーディング情報を報告しない。この場合、MMEは、ハンドオーバターゲットシステムに従って、デフォルトの音声コーディング/デコーディング情報を第1のハンドオーバ要求メッセージに付加することができる。
【００６６】
第1のハンドオーバ要求メッセージにおける第3のインジケーション情報は、CSFBインジケータ、最適化されたCSFBインジケータ、(optimized CSFB indicator)、単一無線音声呼連続性(single radio voice call continuity、SRVCC)CSFBベースのインジケータ(SRVCC based CSFB Indicator)、強化型CSFBインジケータ(enhanced CSFB indicator)または強化型CSFB可能性インジケータ(enhanced CSFB possible)として参照され得る。
【００６７】
第1のハンドオーバ要求メッセージがセッション転送数-単一無線(Session Transfer Number-Single Radio、STN-SR)を搬送するとき、MSCはSTN-SR数を無視する。
【００６８】
S120:MMEは、第2のハンドオーバ要求メッセージをSGSNに送信する。ここで、第2のハンドオーバ要求メッセージは、LTEネットワークから2Gまたは3Gネットワークのパケット交換PSドメインへのハンドオーバを開始するようにSGSNに要求するために用いられる。
【００６９】
LTEネットワークからCSドメインにハンドオーバされるとき、UEは、同時にPSドメインにハンドオーバされる場合もあるし、または同時にPSドメインにハンドオーバされない場合もある。このようにして、この解決策のネットワーク依存度を低減することができ、すなわち、事業者は、LTEネットワークから2Gまたは3GネットワークのCSドメインへのハンドオーバをサポートすることしか必要とされず、事業者は、LTEネットワークから2Gまたは3GネットワークのPSドメインへのハンドオーバをサポートする必要はない。
【００７０】
S121:MSCは、第3のハンドオーバ要求メッセージを基地局(BSC/RNC)に送信する。ここで、第3のハンドオーバ要求メッセージは、音声リソースを回路ドメインサービスに割り当てることを基地局に要求するために用いられる。
【００７１】
第3のハンドオーバ要求メッセージは、CSFBのために、ロングタームエボリューションLTEネットワークから2Gまたは3Gネットワークの回路交換CSドメインにユーザ機器UEをハンドオーバすることを基地局に要求するためにさらに用いられる。基地局は、LTEネットワークから2Gまたは3GネットワークのCSドメインへのUEのハンドオーバのためのCSドメインリソースを配分する。例えば、基地局によって配分されるCSドメインリソースは、基地局とMSCとの間の有線リソースと、基地局とUEとの間の無線リソースとを含む。
【００７２】
例えば、第3のハンドオーバ要求メッセージは、第5のインジケーション情報を含み、第5のインジケーション情報は、CSFBのために、LTEネットワークからCSドメインにUEをハンドオーバすることを基地局に要求するために用いられ、かつ/または、
第5のインジケーション情報は、UEがLTEネットワークから2Gまたは3GネットワークのCSドメインへのハンドオーバをサポートしていることを示すために用いられる。
【００７３】
第3のハンドオーバ要求メッセージは、ソースからターゲットへのトランスペアレントコンテナを含み、ソースからターゲットへのトランスペアレントコンテナは、第5のインジケーション情報を含む。
【００７４】
第1のハンドオーバ要求メッセージが、UEによってサポートされる音声コーディング/デコーディング情報を含まない場合、MSCは、2Gまたは3Gネットワークのタイプに従って、デフォルトの音声コーディング/デコーディング情報を設定する。
【００７５】
デフォルトの音声コーディング/デコーディング情報は、第3のハンドオーバ要求メッセージに含めることができる。
【００７６】
第3のハンドオーバ要求メッセージは、インテグリティ保護情報(Integrity Protection Information)および/または暗号化情報(Encryption Information)を含み、それによって、基地局が、ハンドオーバ完了メッセージを受信した後にUEにセキュリティモードコマンドを送信する。
【００７７】
S125:基地局は、第3のハンドオーバ要求応答メッセージをMSCに送信する。ここで、第3のハンドオーバ要求応答メッセージは、CSドメインの無線リソースに関する情報を含み、CSドメインの無線リソースに関する情報は、LTEネットワークから2Gまたは3GネットワークのCSドメインにUEをハンドオーバするために用いられる。
【００７８】
S130:MSCは、第1のハンドオーバ応答メッセージをMMEに送信する。ここで、第1のハンドオーバ応答メッセージは、CSドメインの無線リソースに関する情報を含む。
【００７９】
S135a:MMEは、ハンドオーバ要請応答メッセージをeNodeBに送信する。ここで、ハンドオーバ要請応答メッセージは、CSドメインの無線リソースに関する情報を含む。
【００８０】
S135b:eNodeBは、ハンドオーバコマンドをUEに送信する。ここで、ハンドオーバコマンドは、CSドメインの無線リソースに関する情報を含む。
【００８１】
UEは、発展型NodeB eNodeBによって送信されたハンドオーバコマンドを受信する。ハンドオーバコマンドは、CSFBのために、LTEネットワークから2Gまたは3Gネットワークの回路交換CSドメインにハンドオーバされるようにUEに命令するために用いられ、ハンドオーバコマンドは、LTEネットワークから2Gまたは3GネットワークのCSドメインへのUEのハンドオーバのために2Gまたは3Gネットワークによって割り当てられる音声リソースに関する情報を含む。
【００８２】
例えば、ハンドオーバコマンドは、第4のインジケーション情報を含み、第4のインジケーション情報は、CSFBのために、LTEネットワークから2Gまたは3GネットワークのCSドメインにハンドオーバされるようにUEに命令するために用いられる。
【００８３】
例えば、ハンドオーバコマンドは、PSドメインリソースに関する情報をさらに含み、UEは、PSドメインリソースに関する情報に従って、LTEネットワークから2Gまたは3GネットワークのPSドメインにハンドオーバされる。
【００８４】
ハンドオーバコマンドは、LTEネットワークから2Gまたは3GネットワークのPSドメインにハンドオーバされるようにUEに命令するためにさらに用いることができる。
【００８５】
S140:UEは、ハンドオーバコマンドに従って、LTEネットワークから2Gまたは3GネットワークのCSドメインにハンドオーバされる。
【００８６】
UEは、ハンドオーバコマンド内に含まれるリソース情報を用いることによって、CSFBのために、LTEネットワークから2Gまたは3GネットワークのCSドメインにハンドオーバされる。
【００８７】
UEは、UEがLTEネットワークから2Gまたは3GネットワークのCSドメインにハンドオーバされるプロセスにおいてセッションを生成する。UEは、UEがLTEネットワークから2Gまたは3GネットワークのCSドメインにハンドオーバされるプロセスにおいてセッションを生成しない場合がある。
【００８８】
リソース情報がCS暗号化アルゴリズム識別子を含むとき、UEは、UEがLTEネットワークから2Gまたは3GネットワークのCSドメインにハンドオーバされるプロセスにおいて、CS暗号化アルゴリズム識別子に従ってCSドメイン暗号化をアクティベートする。
【００８９】
S145:UEがハンドオーバされた後、UEはハンドオーバ完了(HOComplete)メッセージを基地局(BSCまたはRNC)に送信する。
【００９０】
ハンドオーバ完了メッセージを受信した後、ハンドオーバ完了メッセージに応答して、基地局は、ロケーションエリアアイデンティティ(Location Area Identity、LAI)を、UEに送信されるUTRANモビリティ情報(UTRAN Mobility Information)に付加する必要がある。これによって、この実施形態では、UEはロケーション更新(Location Area Update、LAU)を開始し、それによってCS呼セットアップ失敗が生じる場合がある。失敗を回避するために、基地局は、UEに送信されるUTRANモビリティ情報にロケーションエリアアイデンティティを付加しない場合がある。
【００９１】
基地局は、UTRANモビリティ情報を送信する後続のプロセスにおいてLAIをUEに送信することができる。例えば、以下の方法を用いることができる。
a)ハンドオーバ完了メッセージを受信した後、基地局はタイマを有効にし、タイマが満了した後、基地局は、LAIをUEに送信するために、UTRANモビリティ情報を送信するか、または、
b)呼IU解放コマンド(IU RELEASE COMMAND)または呼接続(Connect)メッセージを受信した後、基地局は、LAIをUEに送信するために、UTRANモビリティ情報を送信する。発呼プロセスにおいて、MSCは呼接続(Connect)メッセージをUEに送信し、着呼プロセスにおいて、UEは呼接続(Connect)メッセージをMSCに送信する。
【００９２】
代替的に、UEが失敗を回避するためにLAUメッセージを基地局に送信するとき、基地局はロケーション更新要求メッセージをMSCに送信せず、基地局は、ロケーション更新受理メッセージをUEに直接送信する。
【００９３】
S150:基地局は、ステップS145におけるハンドオーバ完了メッセージをMSCに転送する。
【００９４】
基地局によって送信されたハンドオーバ完了メッセージを受信した後、MSCは、回路ドメインサービスが非音声サービスであるか否かを判断する。MSCが、回路ドメインサービスが非音声サービスであると判断するとき、MSCは、音声リソースを解放するように基地局に命令するために、ベアラ解放メッセージを基地局に送信する。
【００９５】
特定の決定プロセスおよび音声リソースの特定の解放プロセスを理解するために、S155〜S196bを参照されたい。
【００９６】
S155:UEは、MSCに、接続管理サービス要求、例えば、CMサービス要求メッセージを送信する。
【００９７】
S160:MSCは、認証要求(Authenticate Request)をUEに送信する。
【００９８】
ステップS160は実行されない場合がある、すなわち、MSCが認証要求メッセージをUEに送信しない場合がある。
【００９９】
S165:UEは、認証応答(Authenticate Response)をMSCに送信する。
【０１００】
S170:MSCは、セキュリティモードコマンド(Security mode command)を基地局に送信する。ここで、セキュリティモードコマンドは、インテグリティ保護情報(Integrity Protection Information)および/または暗号化情報(Encryption Information)を搬送し、それによって、基地局はセキュリティモードコマンドをUEに送信する。
【０１０１】
ステップS170は実行されない場合がある。すなわち、MSCがセキュリティモードコマンドを基地局に送信しない場合がある。
【０１０２】
S175:基地局は、セキュリティモードコマンドをUEに送信する。特に、基地局は、ステップS170において、セキュリティモードコマンドに従ってこのステップを実行するか、または基地局はS145においてメッセージを受信した後にこのステップを実行する。
【０１０３】
S180:任意選択で、MSCは、接続管理サービス受理コマンドをUEに送信する。
【０１０４】
S185:UEは、サービス接続セットアップ要求メッセージをMSCに送信する。ここで、サービス接続セットアップ要求メッセージは、CSFBのためのロケーションサービス(Location Service、LCS)または非構造付加データサービス(Unstructured Supplementary Service Data、USSD)等の非音声サービスを作成するようにMSCに要求するために用いられる。
【０１０５】
任意選択で、UEは、MSCによって送信されたサービス接続セットアップ要求メッセージを受信することができる。サービス接続セットアップ要求メッセージは、回路ドメインサービスが非音声サービスであることを示す。
【０１０６】
任意選択で、MSCは、UEによって送信されたサービス接続セットアップ要求メッセージを受信する。サービス接続セットアップ要求メッセージは、回路ドメインサービスが非音声サービスであることを示す。
【０１０７】
MSCによって、回路ドメインサービスが非音声サービスであるか否かを判断することは、
MSCによって、サービス接続セットアップ要求メッセージに従って、回路ドメインサービスが非音声サービスであると判断することを含むことができる。
【０１０８】
任意選択で、MSCによって、回路ドメインサービスが非音声サービスであるか否かを判断することは、
MSCによって、回路ドメインサービスのタイプに従って、回路ドメインサービスが非音声サービスであると判断することを含むことができる。
【０１０９】
本方法は、
MCSによって、サービス接続セットアップ要求メッセージをUEに送信することをさらに含むことができる。ここで、サービス接続セットアップ要求メッセージは、回路ドメインサービスが非音声サービスであることを示す。
【０１１０】
S190:MSCがサービス接続セットアップ要求または接続管理サービス要求を受信した後、MSCは、セッション解放メッセージ(Disconnectメッセージ等)をUEに送信する。ここで、セッション解放メッセージは、UEがLTEネットワークから2Gまたは3GネットワークのCSドメインにハンドオーバされたプロセスにおいて生成されたセッションを解放するようにUEに要求するために用いられる。
【０１１１】
UEは、MSCによって送信されたセッション解放メッセージを受信する。セッション解放メッセージは、UEがLTEネットワークから2Gまたは3GネットワークのCSドメインにハンドオーバされたプロセスにおいて生成された音声セッションを解放するようにUEに要求するために用いられる。
【０１１２】
UEがMSCによって送信されたセッション解放メッセージを受信した後、UEは、セッション解放要求メッセージ(Releaseメッセージ等)を送信する。
【０１１３】
セッション解放要求メッセージを受信した後、MSCはセッション解放要求完了メッセージ(Release completeメッセージ等)を送信する。
【０１１４】
任意選択で、MSCが、回路ドメインサービスが非音声サービスであると判断するとき、MSCは、セッション解放メッセージをUEに送信し、セッション解放メッセージは、UEがLTEネットワークから2Gまたは3GネットワークのCSドメインにハンドオーバされたプロセスにおいて生成された音声セッションを解放するようにUEに要求するために用いられる。
【０１１５】
S196a:MSCは、ベアラ解放メッセージを、2Gまたは3Gネットワークの基地局(BSC/RNC)に送信し、それによって、基地局は、ステップS121において、2Gまたは3GネットワークのCSドメインへのUEのハンドオーバのために基地局によって割り当てられたCSドメインの音声リソースを解放する。
【０１１６】
S196b:2Gまたは3Gネットワークの基地局は、ベアラ解放メッセージをUEに送信し、それによって、UEは、2Gまたは3GネットワークのCSドメインへのUEのハンドオーバのために基地局によって割り当てられたCSドメインの音声リソースを解放する。
【０１１７】
さらに、呼び出し先が電話をとり、会話状態に入る。
【０１１８】
呼終了が終了した後、呼はCSFBによってトリガされたので、UEは、呼が完了した後にLTEネットワークに戻る必要がある。基地局は、第3のハンドオーバ要求メッセージに従って、呼がCSFBによってトリガされたと判断する。2Gまたは3Gネットワークの基地局が、MSCによって送信された呼解放メッセージを受信した後、2Gまたは3Gネットワークの基地局は、UEをLTEネットワークにリダイレクトするか、または基地局はUEをLTEネットワークにハンドオーバする。呼解放メッセージは、解放コマンドIu Release CommandまたはクリアコマンドClear Commandである。
【０１１９】
この実施形態では、基地局はUEとMSCとの間のCSシグナリングをパースすることができることに留意するべきである。基地局は、UEによってMSCに送信される、接続管理サービス要求、認証応答、第1のCS呼接続セットアップ要求メッセージ、または別のシグナリングメッセージ等のシグナリングメッセージを受信する。基地局は、LTEネットワークから2Gまたは3GネットワークのCSドメインへのハンドオーバのプロセスにおいてセットアップされる接続を用いることによって、シグナリングメッセージをMSCに送信することができるか、または直接転送メッセージを用いることによってシグナリングメッセージをMSCに送信することができる。
【０１２０】
この実施形態では、通知メッセージに含まれるインジケーション情報、第1のインジケーション情報、第2のインジケーション情報、第3のインジケーション情報、第4のインジケーション情報および第5のインジケーション情報はそれぞれ、CSFBインジケータフィールド、またはCSFBインジケータフィールドおよびUE機能フィールドを含むことができる。CSFBインジケータフィールドは、CSFBのために、LTEネットワークから2Gまたは3Gネットワークの回路交換CSドメインにUEをハンドオーバするようにMMEまたはMSCまたは2Gもしくは3Gネットワークの基地局に命令する。UE機能フィールドは、UEがLTEネットワークから2Gまたは3GネットワークのPSドメインへのハンドオーバをサポートしていることを表す。
【０１２１】
図1において、非音声サービスのための回路交換フォールバックの実施中に、LTEネットワークから2Gまたは3GネットワークのCSドメインへのUEのハンドオーバがトリガされる。UEが2Gまたは3GネットワークのCSドメインに動かされるとき、2Gまたは3GネットワークのCSドメインにおいて予約された音声リソースが解放され、それによって音声リソースが節減される。
【０１２２】
図2aを参照すると、図2aは、非音声サービスのための回路交換フォールバックネットワークハンドオーバにおける音声リソース節減プロセス、および本発明の実施形態によるハンドオーバ後の着呼プロセスを示す。
【０１２３】
S0b〜S0c:MSCがCSページング要求をMMEに送信し、MMEはページングプロセスをトリガする。
【０１２４】
任意選択で、MSCはページングメッセージをMMEに送信する。ページングメッセージは、このサービスが、USSDサービスまたはLCSサービス等の非音声サービスであることを示す。
【０１２５】
S200はS100と同じであり、S200aはS100aと同じである。本明細書において詳細は再び説明されない。
【０１２６】
S205:MMEは、通知メッセージを発展型NodeB eNodeBに送信する。ここで、通知メッセージは、非音声サービスのために、ロングタームエボリューションLTEネットワークから第2世代2Gまたは第3世代3GネットワークのCSドメインにUEをハンドオーバしないようにeNodeBに命令するために用いられる。
【０１２７】
S210:eNodeBは、ハンドオーバ要請メッセージをMMEに送信し、ここで、ハンドオーバ要請メッセージは、LTEネットワークから2Gまたは3GネットワークのPSドメインにUEを動かすように要求するために用いられるか、またはeNodeBはリダイレクト手順を用いることによってUEを2Gまたは3Gネットワークに動かす。
【０１２８】
UEを2Gまたは3Gネットワークに動かすために、LTEネットワークから2Gまたは3GネットワークのCSドメインへのハンドオーバのプロセスを用いる代わりに、eNodeBは、LTEネットワークから2Gまたは3GネットワークのPSドメインへのハンドオーバを用いるか、またはUEを2Gまたは3Gネットワークに動かすためのリダイレクト手順を用いる。
【０１２９】
図2aにおいて、非音声サービスのための回路交換フォールバックの実施中、LTEネットワークから2Gまたは3GネットワークのCSドメインへのUEのハンドオーバはトリガされず、それによって音声リソースが節減される。
【０１３０】
図2bを参照すると、図2bは、非音声サービスのための回路交換フォールバックネットワークハンドオーバにおける音声リソース節減プロセス、および本発明の実施形態によるハンドオーバ後の着呼プロセスを示す。
【０１３１】
S0b〜S0c:MSCがCSページング要求をMMEに送信し、MMEはページングプロセスをトリガする。
【０１３２】
任意選択で、MSCはページングメッセージをMMEに送信する。ページングメッセージは、このサービスが、USSDサービスまたはLCSサービス等の非音声サービスであることを示す。
【０１３３】
ステップS200〜ステップS250は、図1におけるステップS100〜ステップS150と同じであり、本明細書において詳細は再び説明されない。
【０１３４】
S255:任意選択で、UEはページング応答をMSCに送信する。
【０１３５】
S260:MSCは、認証要求をUEに送信する。
【０１３６】
ステップS260は実行されない場合がある。すなわち、MSCは認証要求メッセージをUEに送信しない場合がある。
【０１３７】
S265:UEは認証応答をMSCに送信する。
【０１３８】
S270:MSCは、セキュリティモードコマンドを基地局に送信する。ここで、セキュリティモードコマンドは、インテグリティ保護情報(Integrity Protection Information)および/または暗号化情報(Encryption Information)を搬送し、それによって、基地局はセキュリティモードコマンドをUEに送信する。
【０１３９】
ステップS270は実行されない場合がある。すなわち、MSCがセキュリティモードコマンドを基地局に送信しない場合がある。
【０１４０】
S275:基地局は、セキュリティモードコマンドをUEに送信する。特に、基地局は、ステップS270において、セキュリティモードコマンドに従ってこのステップを実行するか、または基地局はS245においてメッセージを受信した後にこのステップを実行する。
【０１４１】
S280:MSCは、サービス接続セットアップ要求メッセージをUEに送信する。ここで、サービス接続セットアップ要求メッセージは、CSFBのためのロケーションサービス(Location Service、LCS)または非構造付加データサービス(Unstructured Supplementary Service Data、USSD)等の非音声サービスを作成するようにMSCに要求するために用いられる。
【０１４２】
任意選択で、UEは、MSCによって送信されたサービス接続セットアップ要求メッセージを受信することができる。サービス接続セットアップ要求メッセージは、回路ドメインサービスが非音声サービスであることを示す。
【０１４３】
任意選択で、MSCは、UEによって送信されたサービス接続セットアップ要求メッセージを受信する。サービス接続セットアップ要求メッセージは、回路ドメインサービスが非音声サービスであることを示す。
【０１４４】
MSCによって、回路ドメインサービスが非音声サービスであるか否かを判断することは、
MSCによって、サービス接続セットアップ要求メッセージに従って、回路ドメインサービスが非音声サービスであると判断することを含むことができる。
【０１４５】
任意選択で、MSCによって、回路ドメインサービスが非音声サービスであるか否かを判断することは、
MSCによって、回路ドメインサービスのタイプに従って、回路ドメインサービスが非音声サービスであると判断することを含むことができる。
【０１４６】
本方法は、
MCSによって、サービス接続セットアップ要求メッセージをUEに送信することをさらに含むことができる。ここで、サービス接続セットアップ要求メッセージは、回路ドメインサービスが非音声サービスであることを示す。
【０１４７】
S290:MSCがハンドオーバ完了メッセージを受信した後またはMSCがサービス接続セットアップ要求メッセージを送信した後、MSCは、セッション解放メッセージ(Disconnectメッセージ等)をUEに送信する。ここで、セッション解放メッセージは、UEがLTEネットワークから2Gまたは3GネットワークのCSドメインにハンドオーバされたプロセスにおいて生成されたセッションを解放するようにUEに要求するために用いられる。
【０１４８】
UEは、MSCによって送信されたセッション解放メッセージを受信する。セッション解放メッセージは、UEがLTEネットワークから2Gまたは3GネットワークのCSドメインにハンドオーバされたプロセスにおいて生成された音声セッションを解放するようにUEに要求するために用いられる。
【０１４９】
UEがMSCによって送信されたセッション解放メッセージを受信した後、UEは、セッション解放要求メッセージ(Releaseメッセージ等)を送信する。
【０１５０】
セッション解放要求メッセージを受信した後、MSCはセッション解放要求完了メッセージ(Relase completeメッセージ等)を送信する。
【０１５１】
S296:MSCは、ステップS221において、2Gまたは3GネットワークのCSドメインへのUEのハンドオーバのために基地局によって割り当てられたCSドメインの音声リソースを解放するために、ベアラ解放メッセージをBSC/RNCに送信する。
【０１５２】
2Gまたは3Gネットワークの基地局は、2Gまたは3GネットワークのCSドメインへのUEのハンドオーバのために基地局によって割り当てられたCSドメインの音声リソースを解放するために、ベアラ解放メッセージをUEに送信する。
【０１５３】
呼が終了した後、呼はCSFBによってトリガされたので、UEは、呼が完了した後にLTEネットワークに戻る必要がある。基地局は、第3のハンドオーバ要求メッセージに従って、呼がCSFBによってトリガされたと判断する。したがって、2Gまたは3Gネットワークの基地局が、MSCによって送信された呼解放メッセージを受信した後、2Gまたは3Gネットワークの基地局は、UEをLTEネットワークにリダイレクトするか、または基地局はUEをLTEネットワークにハンドオーバする。呼解放メッセージは、解放コマンドIu Release CommandまたはクリアコマンドClear Commandである。
【０１５４】
この実施形態では、基地局はUEとMSCとの間のCSシグナリングをパースすることができることに留意するべきである。基地局は、UEによってMSCに送信される、呼確認応答メッセージ、認証応答、第2のCS呼接続セットアップ要求メッセージ、または別のシグナリングメッセージ等のシグナリングメッセージを受信する。基地局は、LTEネットワークから2Gまたは3GネットワークのCSドメインへのハンドオーバのプロセスにおいてセットアップされる接続を用いることによって、シグナリングメッセージをMSCに送信することができるか、または直接転送メッセージを用いることによってシグナリングメッセージをMSCに送信することができる。
【０１５５】
この実施形態では、通知メッセージに含まれるインジケーション情報、第2のインジケーション情報、第3のインジケーション情報、第4のインジケーション情報および第5のインジケーション情報はそれぞれ、CSFBインジケータフィールド、またはCSFBインジケータフィールドおよびUE機能フィールドを含むことができる。CSFBインジケータフィールドは、CSFBのために、LTEネットワークから2Gまたは3Gネットワークの回路交換CSドメインにUEをハンドオーバするようにMMEに命令する。UE機能フィールドは、UEがLTEネットワークから2Gまたは3GネットワークのPSドメインへのハンドオーバをサポートしていることを表す。
【０１５６】
非音声サービスのための回路交換フォールバックの実施中に、LTEネットワークから2Gまたは3GネットワークのCSドメインへのUEのハンドオーバがトリガされないか、またはLTEネットワークから2Gまたは3GネットワークのCSドメインへのUEのハンドオーバがトリガされる。UEが2Gまたは3GネットワークのCSドメインに動かされるとき、2Gまたは3GネットワークのCSドメインにおいて予約された音声リソースが解放され、それによって貴重な音声リソースが節減される。
【０１５７】
上記の2つの応用形態のシナリオにおいて、ネットワークハンドオーバおよびセッションプロセス全体が、2つの態様から、すなわち、UEが呼を開始するときおよびUEが着呼するときについて別個に説明される。
【０１５８】
図3を参照すると、本発明の実施形態による音声リソース節減方法の実施形態は、以下を含む。
101:モビリティ管理エンティティMMEが、移動通信交換局MSCによって送信され、ユーザ機器UEをページングするために用いられる第1のページング要求メッセージを受信する。ここで、第1のページング要求メッセージは第1のインジケーション情報を含み、第1のインジケーション情報は、非音声サービスを示すために用いられる。
102:MMEは、第1のページング要求メッセージに従って通知メッセージを発展型NodeB eNodeBに送信する。ここで、通知メッセージは、非音声サービスのために、ロングタームエボリューションLTEネットワークから第2世代2Gまたは第3世代3Gネットワークの回路交換CSドメインにUEをハンドオーバしないようにeNodeBに命令するために用いられる。
【０１５９】
図3に示す方法は、
MMEによって第2のページング要求メッセージをUEに送信することと、
MMEによって、UEにより送信されたサービス要求を受信することとを含む。ここで、サービス要求は、回路ドメインサービスのために回路交換フォールバックCSFBを要求するために用いられる。
【０１６０】
MMEによって実行される上記の処理ステップ、およびこの実施形態における他の処理ステップの詳細な説明については、図2aに対応する実施形態における説明を参照されたい。本明細書において詳細は再び説明されない。
【０１６１】
図4を参照すると、本発明の実施形態による音声リソース節減方法の別の実施形態は、以下を含む。
201:ロングタームエボリューションLTEネットワーク内に位置する発展型NodeB eNodeBが、モビリティ管理エンティティMMEによって送信される通知メッセージを受信する。ここで、通知メッセージは、非音声サービスのために、LTEネットワークから第2世代2Gまたは第3世代3GネットワークのCSドメインにユーザ機器UEをハンドオーバしないようにeNodeBに命令するために用いられる。
202:eNodeBは、通知メッセージに従って、LTEネットワークから2Gまたは3Gネットワークのパケット交換PSドメインへのハンドオーバのためのハンドオーバ要請メッセージをMMEに送信するか、またはeNodeBは、リダイレクト要求をUEに送信する。
【０１６２】
発展型NodeBによって実行される上記の処理ステップ、およびこの実施形態における他の処理ステップの詳細な説明については、図2aに対応する実施形態における説明を参照されたい。本明細書において詳細は再び説明されない。
【０１６３】
図5を参照すると、本発明の実施形態による音声リソース節減方法の別の実施形態は以下を含む。
301:移動通信交換局MSCが、モビリティ管理エンティティMMEによって送信された第1のハンドオーバ要求メッセージを受信する。ここで、第1のハンドオーバ要求メッセージは、回路ドメインサービスのために、ロングタームエボリューションLTEネットワークから第2世代2Gまたは第3世代3Gネットワークの回路交換CSドメインにユーザ機器UEをハンドオーバするようにMSCに要求するために用いられる。
302:MSCは、第2のハンドオーバ要求メッセージを2Gまたは3Gネットワークの基地局に送信する。ここで、第2のハンドオーバ要求メッセージは、音声リソースを回路ドメインサービスに割り当てるように基地局に要求するために用いられる。
303:MSCは、基地局によって送信されたハンドオーバ完了メッセージを受信する。
304:MSCは、基地局によって送信されたハンドオーバ完了メッセージを受信する。
305:MSCが、回路ドメインサービスが非音声サービスであると判断するとき、MSCは、音声リソースを解放するように基地局に命令するためのベアラ解放メッセージを基地局に送信する。
【０１６４】
図5に示す方法は、
MSCによって、UEにより送信されたサービス接続セットアップ要求メッセージを受信することを含み、サービス接続セットアップ要求メッセージは、回路ドメインサービスが非音声サービスであることを示し、
MSCによって、回路ドメインサービスが非音声サービスであるか否かを判断することは、
MSCによって、サービス接続セットアップ要求メッセージに従って、回路ドメインサービスが非音声サービスであると判断することを含む。
【０１６５】
MSCによって、回路ドメインサービスが非音声サービスであるか否かを判断することは、
MSCによって、回路ドメインサービスのタイプに従って、回路ドメインサービスが非音声サービスであると判断することを含み、
本方法は、
MSCによって、サービス接続セットアップ要求メッセージをUEに送信することをさらに含み、ここで、サービス接続セットアップ要求メッセージは回路ドメインサービスが非音声サービスであることを示す。
【０１６６】
MSCが、回路ドメインサービスが非音声サービスであると判断するとき、MSCはセッション解放メッセージをUEに送信する。ここで、セッション解放メッセージは、UEがLTEネットワークから2Gまたは3GネットワークのCSドメインにハンドオーバされたプロセスにおいて生成された音声セッションを解放するようにUEに要求するために用いられる。
【０１６７】
UEによって実行される上記の処理ステップおよびこの実施形態における他の処理ステップの詳細な説明については、図1および図2bに対応する実施形態における説明を参照されたい。本明細書において詳細は再び説明されない。
【０１６８】
図6を参照すると、本発明の実施形態による音声リソース節減方法の別の実施形態は、以下を含む。
401:ロングタームエボリューションLTEネットワーク内に位置するユーザ機器UEが、要求メッセージをモビリティ管理エンティティMMEに送信する。ここで、要求メッセージは、回路ドメインサービスのための回路交換フォールバックCSFBを要求するために用いられる。
402:UEは、発展型NodeB eNodeBによって送信されたハンドオーバコマンドを受信する。ここで、ハンドオーバコマンドは、CSFBのために、LTEネットワークから第2世代2Gまたは第3世代3Gネットワークの回路交換CSドメインにハンドオーバされるようにUEに命令するために用いられ、ハンドオーバコマンドは、LTEネットワークから2Gまたは3GネットワークのCSドメインへのUEのハンドオーバのために2Gまたは3Gネットワークによって割り当てられる音声リソースに関する情報を含む。
403:UEは、2Gまたは3Gネットワーク内の基地局にハンドオーバ完了メッセージを送信する。
404:UEは、基地局によって送信されたベアラ解放メッセージを受信する。ここで、ベアラ解放メッセージは、音声リソースを解放するように基地局に命令するために用いられる。
【０１６９】
図6に示す方法は、
UEによってハンドオーバ完了メッセージを基地局に送信した後、かつUEによって基地局により送信されたベアラ解放メッセージを受信する前に、
UEによって、サービス接続セットアップ要求メッセージをMSCに送信することであって、ここで、サービス接続セットアップ要求メッセージは、回路ドメインサービスが非音声サービスであることを示すこと、または、
UEによって、MSCにより送信されたサービス接続セットアップ要求メッセージを受信することであって、ここで、サービス接続セットアップ要求メッセージは、回路ドメインサービスが非音声サービスであることを示すことと、
UEによって、MSCにより送信されたセッション解放メッセージを受信することであって、ここで、セッション解放メッセージは、UEがLTEネットワークから2Gまたは3GネットワークのCSドメインにハンドオーバされたプロセスにおいて生成された音声セッションを解放するようにUEに要求するために用いられることと、
をさらに含む。
【０１７０】
UEによって実行される上記の処理ステップおよびこの実施形態における他の処理ステップの詳細な説明については、図1および図2bに対応する実施形態における説明を参照されたい。本明細書において詳細は再び説明されない。
【０１７１】
図7を参照すると、本発明の実施形態において提供されるモビリティ管理エンティティMME60は、受信ユニット601および送信ユニット602を備える。
【０１７２】
受信ユニット601は、移動通信交換局MSCによって送信され、ユーザ機器UEをページングするために用いられる第1のページング要求メッセージを受信するように構成される。ここで、第1のページング要求メッセージは第1のインジケーション情報を含み、第1のインジケーション情報は、非音声サービスを示すために用いられる。
【０１７３】
送信ユニット602は、受信ユニット610によって受信された第1のページング要求メッセージに従って、発展型NodeB eNodeBに通知メッセージを送信するように構成される。ここで、通知メッセージは、非音声サービスのために、ロングタームエボリューションLTEネットワークから第2世代2Gまたは第3世代3Gネットワークの回路交換CSドメインにUEをハンドオーバしないようにeNodeBに命令するために用いられる。
【０１７４】
送信ユニット602は、第2のページング要求メッセージをUEに送信するようにさらに構成される。
【０１７５】
受信ユニット601は、UEによって送信されたサービス要求を受信するようにさらに構成される。ここで、サービス要求は、回路ドメインサービスのための回路交換フォールバックCSFBを要求するために用いられる。
【０１７６】
通知メッセージは第2のインジケーション情報を含み、第2のインジケーション情報は、非音声サービスを示すために用いられる。
【０１７７】
この実施形態におけるモビリティ管理エンティティは、図2aおよび図3の方法実施形態において説明された、MMEによって実行される方法ステップを実行することができる。受信ユニット601は、別のエンティティによってMMEに送信されるメッセージを受信するように構成され、送信ユニット602は、メッセージを別のエンティティに送信するように構成される。当業者であれば、これらの方法実施形態において実行されるステップに従って、MMEにおけるユニットの挙動、MMEにおけるユニットによって実行される動作、およびユニット間の関係を理解することができる。
【０１７８】
図8を参照すると、本発明の実施形態において提供される発展型NodeB70は、受信ユニット701および送信ユニット702を備える。
【０１７９】
受信ユニット701は、モビリティ管理エンティティMMEによって送信される通知メッセージを受信するように構成される。ここで、通知メッセージは、非音声サービスのために、ロングタームエボリューションLTEネットワークから第2世代2Gまたは第3世代3GネットワークのCSドメインにユーザ機器UEをハンドオーバしないようにeNodeBに命令するために用いられる。
【０１８０】
送信ユニット702は、受信ユニットによって受信された通知メッセージに従って、LTEネットワークから2Gまたは3Gネットワークのパケット交換PSドメインへのハンドオーバのためのハンドオーバ要請メッセージをMMEに送信するか、またはリダイレクト要求をUEに送信するように構成される。
【０１８１】
通知メッセージは第2のインジケーション情報を含み、第2のインジケーション情報は、非音声サービスを示すために用いられる。
【０１８２】
この実施形態における発展型NodeBは、図2aおよび図4の方法実施形態において説明された、発展型NodeBによって実行される方法ステップを実行することができる。受信ユニット701は、別のエンティティによって発展型NodeBに送信されるメッセージを受信するように構成される。当業者であれば、これらの方法実施形態において実行されるステップに従って、発展型NodeBにおけるユニットの挙動、発展型NodeBにおけるユニットによって実行される動作、およびユニット間の関係を理解することができる。
【０１８３】
図9を参照すると、方法の実施形態において提供される移動通信交換局MSC80は、受信ユニット801、送信ユニット802および処理ユニット803を備える。
【０１８４】
受信ユニット801は、モビリティ管理エンティティMMEによって送信される第1のハンドオーバ要求メッセージを受信するように構成される。ここで、第1のハンドオーバ要求メッセージは、回路ドメインサービスのために、ロングタームエボリューションLTEネットワークから第2世代2Gまたは第3世代3Gネットワークの回路交換CSドメインにユーザ機器UEをハンドオーバするようにMSCに要求するために用いられる。
【０１８５】
送信ユニット802は、第2のハンドオーバ要求メッセージを2Gまたは3Gネットワークの基地局に送信するように構成される。ここで、第2のハンドオーバ要求メッセージは、回路ドメインサービスに音声リソースを割り当てるように基地局に要求するために用いられる。
【０１８６】
受信ユニット801は、基地局によって送信されたハンドオーバ完了メッセージを受信するようにさらに構成される。
【０１８７】
処理ユニット803は、受信ユニット801がハンドオーバ完了メッセージを受信した後、回路ドメインサービスが非音声サービスであるか否かを判断するように構成される。
【０１８８】
送信ユニット802は、処理ユニット803が、回路ドメインサービスが非音声サービスであると判断するとき、音声リソースを解放するように基地局に命令するために、ベアラ解放メッセージを基地局に送信するように構成される。
【０１８９】
受信ユニット801は、UEによって送信されたサービス接続セットアップ要求メッセージを受信するようにさらに構成される。ここで、サービス接続セットアップ要求メッセージは、回路ドメインサービスが非音声サービスであることを示す。
【０１９０】
処理ユニット802は、受信ユニット801によって受信されたサービス接続セットアップ要求メッセージに従って、回路ドメインサービスが非音声サービスであると判断するように構成される。
【０１９１】
処理ユニット803は、回路ドメインサービスのタイプに従って、回路ドメインサービスが非音声サービスであると判断するように構成される。
【０１９２】
送信ユニット802は、サービス接続セットアップ要求メッセージをUEに送信するようにさらに構成される。ここで、サービス接続セットアップ要求メッセージは、回路ドメインサービスが非音声サービスであることを示す。
【０１９３】
送信ユニット802は、処理ユニット803が、回路ドメインサービスが非音声サービスであると判断すると、セッション解放メッセージをUEに送信するようにさらに構成される。ここで、セッション解放メッセージは、UEがLTEネットワークから2Gまたは3GネットワークのCSドメインにハンドオーバされたプロセスにおいて生成された音声セッションを解放するようにUEに要求するために用いられる。
【０１９４】
この実施形態におけるMSCは、図1、図2bおよび図5の方法実施形態において説明されたMSCによって実行される方法ステップを実行することができる。受信ユニット801は、別のエンティティによってMSCに送信されるメッセージを受信するように構成され、送信ユニット803は、メッセージを別のエンティティに送信するように構成される。当業者であれば、これらの方法実施形態において実行されるステップに従って、MSCにおけるユニットの挙動、MSCにおけるユニットによって実行される動作、およびユニット間の関係を理解することができる。
【０１９５】
図10を参照すると、本発明の実施形態において提供されるユーザ機器90は、送信ユニット901および受信ユニット902を備える。
【０１９６】
送信ユニット901は、要求メッセージをモビリティ管理エンティティMMEに送信するように構成される。ここで、要求メッセージは、回路ドメインサービスのための回路交換フォールバックCSFBを要求するために用いられる。
【０１９７】
受信ユニット902は、発展型NodeB eNodeBによって送信されたハンドオーバコマンドを受信するように構成される。ここで、ハンドオーバコマンドは、CSFBのために、LTEネットワークから第2世代2Gまたは第3世代3Gネットワークの回路交換CSドメインにハンドオーバされるようにUEに命令するために用いられ、ハンドオーバコマンドは、LTEネットワークから2Gまたは3Gネットワークの回路交換CSドメインへのUEのハンドオーバのために2Gまたは3Gネットワークによって割り当てられる音声リソースに関する情報を含む。
【０１９８】
送信ユニット901は、2Gまたは3Gネットワーク内の基地局にハンドオーバ完了メッセージを送信するようにさらに構成される。
【０１９９】
受信ユニット902は、基地局によって送信されたベアラ解放メッセージを受信するようにさらに構成される。ここで、ベアラ解放メッセージは、音声リソースを解放するように基地局に命令するために用いられる。
【０２００】
送信ユニット901は、ハンドオーバ完了メッセージが基地局に送信された後、かつ受信ユニットが2Gまたは3Gネットワークの基地局により送信されたベアラ解放メッセージを受信する前に、サービス接続セットアップ要求メッセージをMSCに送信するようにさらに構成され、ここで、サービス接続セットアップ要求メッセージは、回路ドメインサービスが非音声サービスであることを示し、または、
受信ユニット902は、送信ユニット901がハンドオーバ完了メッセージを基地局に送信した後、かつ基地局によって送信されたベアラ解放メッセージが受信される前に、MSCによって送信されたサービス接続セットアップ要求メッセージを受信するようにさらに構成され、ここで、サービス接続セットアップ要求メッセージは、回路ドメインサービスが非音声サービスであることを示す。
【０２０１】
受信ユニット902は、MSCによって送信されたセッション解放メッセージを受信するようにさらに構成される。ここで、セッション解放メッセージは、UEがLTEネットワークから2Gまたは3GネットワークのCSドメインにハンドオーバされたプロセスにおいて生成された音声セッションを解放するようにUEに要求するために用いられる。
【０２０２】
この実施形態におけるUEは、図1、図2bおよび図6の方法実施形態において説明された、UEによって実行される方法ステップを実行することができる。受信ユニット902は、別のエンティティによってUEに送信されるメッセージを受信するように構成され、送信ユニット901は、メッセージを別のエンティティに送信するように構成される。当業者であれば、これらの方法実施形態において実行されるステップに従って、UEにおけるユニットの挙動、UEにおけるユニットによって実行される動作、およびユニット間の関係を理解することができる。
【０２０３】
本発明において提供される上記の装置実施形態によって、非音声サービスのための回路交換フォールバックの実施中に、LTEネットワークから2Gまたは3GネットワークのCSドメインへのUEのハンドオーバがトリガされないか、またはLTEネットワークから2Gまたは3GネットワークのCSドメインへのUEのハンドオーバがトリガされ、UEが2Gまたは3GネットワークのCSドメインに動かされるとき、2Gまたは3GネットワークのCSドメインにおいて予約された音声リソースが解放され、それによって音声リソースが節減される。
【０２０４】
当業者であれば、図7〜図10の上記の実施形態において、メッセージを送信するように構成された送信ユニットを送信機として実施することができ、メッセージを受信するように構成された受信ユニットを受信機として実施することができることを理解することができる。代替的に、送信ユニットおよび受信ユニットは、共に送受信機として実施することができる。物理的な実施態様では、送信機または送受信機は、1つの物理エンティティとして実施することができるか、または複数の物理エンティティとして実施することができ、送信機および送受信機は、1つの物理エンティティとして実施することができるか、または複数の物理エンティティとして実施することができ、これらは本発明において限定されない。処理ユニットは、1つまたは複数のプロセッサとして実施することができ、これは本発明において限定されない。
【０２０５】
図11を参照すると、本発明の実施形態において提供されるネットワークハンドオーバシステムの実施形態は、モビリティ管理エンティティ60、発展型NodeB70、移動通信交換局80、基地局100およびユーザ機器90を備える。
【０２０６】
モビリティ管理エンティティ60、発展型NodeB70、移動通信交換局80、基地局100およびユーザ機器90によってそれぞれ実行される動作、ならびにそれらの間のインタラクションについては、図2aの説明、ならびに図3、図4、図7および図8における方法実施形態および装置実施形態の説明を参照されたい。本明細書において詳細は再び説明されない。
【０２０７】
代替的に、モビリティ管理エンティティ60、発展型NodeB70、移動通信交換局80、基地局100およびユーザ機器90、ならびにそれらの間のインタラクションについては、図1および図2bの説明、ならびに図5、図6、図9および図10における方法実施形態および装置実施形態の説明を参照されたい。本明細書において詳細は再び説明されない。
【０２０８】
当業者であれば、本明細書において開示された実施形態において説明される例と組み合わせて、電子ハードウェア、コンピュータソフトウェアまたはそれらの組合せによってユニットおよびアルゴリズムステップを実施することができることを認識することができる。ハードウェアおよびソフトウェア間の交換可能性を明確に説明するために、上記は、機能に従って各例の組成およびステップを包括的に説明した。機能がハードウェアによって実行されるかまたはソフトウェアによって実行されるかは、特定の用途、および技術的解決策の設計制約条件に応じて決まる。当業者は、各特定の用途について説明された機能を実施するために異なる方法を用いることができるが、実施態様が本発明の範囲を超えるとみなされるべきではない。
【０２０９】
説明の便宜上、かつ説明を簡潔にするために、上記のシステム、装置およびユニットの詳細な機能プロセスについては、上記の方法実施形態における対応するプロセスを参照することができ、本明細書において詳細は再び説明されないことが当業者によって明確に理解され得る。
【０２１０】
本出願において提供されるいくつかの実施形態において、開示されるシステム、装置および方法は他の方式で実施され得ることが理解されるべきである。例えば、説明される装置実施形態は例示にすぎない。例えば、ユニット分割は、単に論理的な機能分割であり、実際の実施態様では他の分割となり得る。例えば、複数のユニットまたはコンポーネントを組み合わせるかもしくは統合して別のシステムにすることができるか、またはいくつかの特徴は無視されるかもしくは実行されない場合がある。加えて、表示または論考された相互結合または直接結合または通信接続は、いくつかのインタフェースを用いることによって実施され得る。装置またはユニット間の間接的な結合または通信接続は、電子、機械または他の形式で実施され得る。
【０２１１】
別個の部品として説明されたユニットは、物理的に別個である場合も別個でない場合もあり、ユニットとして表示された部品は、物理ユニットである場合も物理ユニットでない場合もあり、1つの位置に配置される場合も、複数のネットワークユニットに分散される場合もある。ユニットのうちのいくつかまたは全てを、本発明の実施形態の解決策の目的を達成するように、実際の必要性に従って選択することができる。
【０２１２】
加えて、本発明の実施形態における機能ユニットは、1つの処理ユニットに統合される場合があるか、またはユニットの各々が物理的に単独で存在する場合があるか、または2つ以上のユニットが1つのユニットに統合される。統合されたユニットは、ハードウェアの形式で実施されてもよく、ソフトウェア機能ユニットの形式で実施されてもよい。
【０２１３】
統合されたユニットが、ソフトウェア機能ユニットの形式で実施され、独立した製品として販売または使用されるとき、統合されたユニットは、コンピュータ可読記憶媒体に記憶することができる。そのような理解に基づいて、本発明の技術的解決策は、本質的にもしくは部分的に従来技術に寄与するか、または技術的解決策のうちの全てもしくはいくつかがソフトウェア製品の形式で実施されてもよい。コンピュータソフトウェア製品は、ストレージ媒体に記憶され、本発明の実施形態に記載される方法のステップのうちの全てまたはいくつかを実行するようにコンピュータデバイス(パーソナルコンピュータ、サーバまたはネットワークデバイスとすることができる)に命令するためのいくつかの命令を含む。上記のストレージ媒体は、USBフラッシュドライブ、リムーバブルハードディスク、リードオンリーメモリ(ROM、Read-Only Memory)、ランダムアクセスメモリ(RAM、Random Access Memory)、磁気ディスクまたは光ディスク等の、プログラムコードを記憶することができる任意の媒体を含む。
【０２１４】
実施形態において提供されるLTEネットワークは、LTE Aネットワーク、および後に現れ得るLTE解放のネットワークを含む。
【０２１５】
上記の説明は、本発明の特定の実施形態にすぎず、本発明の保護範囲を限定するように意図されない。本発明において開示される技術範囲内の当業者が容易に思いつく任意の変更形態または代替形態が本発明の保護範囲内にあるものとする。したがって、本発明の保護範囲は、特許請求の範囲保護範囲下にあるものとする。
【符号の説明】
【０２１６】
60  モビリティ管理エンティティ
70  発展型NodeB
80  モバイル交換局
90  ユーザ機器
100  基地局
601  受信ユニット
602  送信ユニット
701  受信ユニット
702  送信ユニット
801  受信ユニット
802  送信ユニット
803  処理ユニット
901  送信ユニット
902  受信ユニット
【図１】
2017519452.tif 000003
【図２ａ】
2017519452.tif 000004
【図２ｂ】
2017519452.tif 000005
【図３】
2017519452.tif 000006
【図４】
2017519452.tif 000007
【図５】
2017519452.tif 000008
【図６】
2017519452.tif 000009
【図７】
2017519452.tif 000010
【図８】
2017519452.tif 000011
【図９】
2017519452.tif 000012
【図１０】
2017519452.tif 000013
【図１１】
2017519452.tif 000014
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
音声リソース節減方法であって、
モビリティ管理エンティティMMEによって、移動通信交換局MSCによって送信され、ユーザ機器UEをページングするために用いられる第1のページング要求メッセージを受信するステップであって、前記第1のページング要求メッセージは第1のインジケーション情報を含み、前記第1のインジケーション情報は、非音声サービスを示すために用いられる、ステップと、
前記MMEによって、前記第1のページング要求メッセージに従って通知メッセージを発展型NodeB eNodeBに送信するステップであって、前記通知メッセージは、前記非音声サービスのために、ロングタームエボリューションLTEネットワークから第2世代2Gまたは第3世代3Gネットワークの回路交換CSドメインに前記UEをハンドオーバしないように前記eNodeBに命令するために用いられる、ステップと、
を含む、方法。
【請求項２】
前記方法は、
前記MMEによって第2のページング要求メッセージを前記UEに送信するステップと、
前記MMEによって、前記UEにより送信されたサービス要求を受信するステップであって、前記サービス要求は、回路ドメインサービスのために回路交換フォールバックCSFBを要求するために用いられる、ステップと、
をさらに含む、請求項1に記載の方法。
【請求項３】
前記通知メッセージは第2のインジケーション情報を含み、前記第2のインジケーション情報は、前記非音声サービスを示すのに用いられる、請求項1または2に記載の方法。
【請求項４】
音声リソース節減方法であって、
ロングタームエボリューションLTEネットワーク内に位置する発展型NodeB eNodeBによって、モビリティ管理エンティティMMEによって送信される通知メッセージを受信するステップであって、前記通知メッセージは、非音声サービスのために、前記LTEネットワークから第2世代2Gまたは第3世代3Gネットワークの回路交換CSドメインにユーザ機器UEをハンドオーバしないように前記eNodeBに命令するために用いられる、ステップと、
前記eNodeBによって、前記通知メッセージに従って、前記LTEネットワークから前記2Gまたは3Gネットワークのパケット交換PSドメインへのハンドオーバのためのハンドオーバ要請メッセージをMMEに送信するか、または前記eNodeBによって、リダイレクト要求を前記UEに送信するステップと、
を含む、音声リソース節減方法。
【請求項５】
前記通知メッセージは第2のインジケーション情報を含み、前記第2のインジケーション情報は前記非音声サービスを示すために用いられる、請求項4に記載の方法。
【請求項６】
モビリティ管理エンティティMMEであって、
移動通信交換局MSCによって送信され、ユーザ機器UEをページングするために用いられる第1のページング要求メッセージを受信するように構成される受信ユニットであって、前記第1のページング要求メッセージは第1のインジケーション情報を含み、前記第1のインジケーション情報は、非音声サービスを示すために用いられる、受信ユニットと、
前記受信ユニットによって受信された前記第1のページング要求メッセージに従って、発展型NodeB eNodeBに通知メッセージを送信するように構成される送信ユニットであって、前記通知メッセージは、前記非音声サービスのために、ロングタームエボリューションLTEネットワークから第2世代2Gまたは第3世代3Gネットワークの回路交換CSドメインに前記UEをハンドオーバしないように前記eNodeBに命令するために用いられる、送信ユニットと、
を備える、MME。
【請求項７】
前記送信ユニットは、第2のページング要求メッセージを前記UEに送信するようにさらに構成され、
前記受信ユニットは、前記UEによって送信されたサービス要求を受信するようにさらに構成され、前記サービス要求は、回路ドメインサービスのための回路交換フォールバックCSFBを要求するために用いられる、請求項6に記載のMME。
【請求項８】
前記通知メッセージは第2のインジケーション情報を含み、前記第2のインジケーション情報は、前記非音声サービスを示すために用いられる、請求項6または7に記載のMME。
【請求項９】
発展型NodeB eNodeBであって、
モビリティ管理エンティティMMEによって送信される通知メッセージを受信するように構成される受信ユニットであって、前記通知メッセージは、非音声サービスのために、ロングタームエボリューションLTEネットワークから第2世代2Gまたは第3世代3GネットワークのCSドメインにユーザ機器UEをハンドオーバしないように前記eNodeBに命令するために用いられる、受信ユニットと、
前記受信ユニットによって受信された前記通知メッセージに従って、前記LTEネットワークから前記2Gまたは3Gネットワークのパケット交換PSドメインへのハンドオーバのためのハンドオーバ要請メッセージを前記MMEに送信するか、またはリダイレクト要求を前記UEに送信するように構成される、送信ユニットと、
を備える、eNodeB。
【請求項１０】
前記通知メッセージは第2のインジケーション情報を含み、前記第2のインジケーション情報は、前記非音声サービスを示すために用いられる、請求項9に記載のeNodeB。
【請求項１１】
モビリティ管理エンティティMME、移動通信交換局MSCおよび発展型NodeB eNodeBを備える音声リソース節減システムであって、
前記MMEは、前記MSCによって送信され、ユーザ機器UEをページングするために用いられる第1のページング要求メッセージを受信し、前記第1のページング要求メッセージは第1のインジケーション情報を含み、前記第1のインジケーション情報は、非音声サービスを示すために用いられ、
前記MMEは、前記第1のページング要求メッセージに従って通知メッセージを前記eNodeBに送信し、前記通知メッセージは、前記非音声サービスのために、ロングタームエボリューションLTEネットワークから第2世代2Gまたは第3世代3GネットワークのCSドメインに前記UEをハンドオーバしないように前記eNodeBに命令するために用いられ、
前記eNodeBは、前記MMEによって送信される前記通知メッセージを受信し、
前記eNodeBは、前記通知メッセージに従って、前記LTEネットワークから前記2Gまたは3Gネットワークのパケット交換PSドメインへのハンドオーバのためのハンドオーバ要請メッセージを前記MMEに送信するか、または、
前記eNodeBは、リダイレクト要求を前記UEに送信する、システム。
【国際調査報告】
2017519452.tif 000015
2017519452.tif 000016
2017519452.tif 000017
2017519452.tif 000018